(57)【要約】  【課題】カードストッカ及びカードＲ／Ｗを有し、入金金額のうち玉貸処理に未使用の残額をカードの記録情報から特定可能にする遊技用装置において、遊技者に迷惑をかけるおそれを低減させ、稼働低下を防止する遊技用装置の提供。  【解決手段】カードＲ／Ｗ制御部は、カードの抜き取りを検出すると（Ｓ７０５）、カードストッカに収納されているカードをカードＲ／Ｗに供給し、（Ｓ７０６）、供給時読取を行う（Ｓ７０７）。ユニット制御部は、読み取られた情報に基づく供給時判定（Ｓ７０９）を行い、使用可能であると判定されたときには、一般カードＩＤ及び装置ＩＤがシステムコントローラに送信される（Ｓ７１１：供給時送信）。一方、使用可能でないと判定されたときには、エラー報知が行われる（Ｓ７２０）と共に、カードＲ／Ｗのカードが排出される（Ｓ７２２）。  【選択図】      図１２
2006239192.tif 000002
【特許請求の範囲】
【請求項１】
遊技機に対応して設けられ、
貨幣を受け付ける貨幣受付手段と、
該貨幣受付手段により受け付けた貨幣の金額に相当する有価価値の大きさのうちの所定の大きさの有価価値を遊技媒体の貸与に使用するための貸与処理を行う貸与処理手段と、
有価価値の大きさを特定するための情報が記録される記録媒体を収納する記録媒体収納部と、
前記記録媒体の記録情報を読み取る記録情報処理部と、
前記記録媒体収納部に収納されている記録媒体を前記記録情報処理部に対して供給する供給処理を行う供給処理手段と、
前記貨幣受付手段により受け付けた貨幣の金額に相当する有価価値の大きさのうち前記貸与処理に使用されていない残有価価値の大きさを、前記供給処理手段により記録情報処理部に供給された記録媒体の記録情報から特定可能にするための残有価価値特定処理を行う残有価価値特定処理手段と、
該残有価価値特定処理手段により残有価価値特定処理が行われた記録媒体を前記記録情報処理部から当該遊技用装置外部に排出する排出処理を行う排出処理手段と、
を有する遊技用装置であって、
前記供給処理手段は、前記排出処理手段により排出処理が行われることに基づいて、前記供給処理を行い、
前記記録情報処理部は、前記供給処理手段により供給処理が行われたことに応じて、当該供給処理により供給された記録媒体の記録情報を読み取り、
該記録情報処理部により読み取られた記録情報に基づいて、該記録媒体が使用可能であるか否かを判定する判定手段と、
該判定手段により使用可能でないと判定されたことを条件として、前記記録情報処理部にある記録媒体の前記残有価価値特定処理への使用を禁止するための使用禁止処理を行う使用禁止処理手段と、
前記判定手段により使用可能でないと判定されたことを条件として報知を行う報知手段と、
をさらに有することを特徴とする遊技用装置。
【請求項２】
請求項１に記載した遊技用装置であって、
前記記録情報処理部は、前記貨幣受付手段により貨幣を受け付けたときに、当該記録情報処理部にある記録媒体の記録情報を再度読み取り、
前記判定手段は、前記記録情報処理部により記録情報が再度読み取られたことに基づいて、前記判定を再度行うことを特徴とする遊技用装置。
【請求項３】
遊技機に対応して設けられ、
貨幣を受け付ける貨幣受付手段と、
該貨幣受付手段により受け付けた貨幣の金額に相当する有価価値の大きさのうちの所定の大きさの有価価値を遊技媒体の貸与に使用するための貸与処理を行う貸与処理手段と、
有価価値の大きさを特定するための情報が記録される記録媒体を収納する記録媒体収納部と、
前記記録媒体の記録情報を読み取る記録情報処理部と、
前記記録媒体収納部に収納されている記録媒体を前記記録情報処理部に対して供給する供給処理を行う供給処理手段と、
前記貨幣受付手段により受け付けた貨幣の金額に相当する有価価値の大きさのうち前記貸与処理に使用されていない残有価価値の大きさを、前記供給処理手段により記録情報処理部に供給された記録媒体の記録情報から特定可能にするための残有価価値特定処理を行う残有価価値特定処理手段と、
該残有価価値特定処理手段により残有価価値特定処理が行われた記録媒体を前記記録情報処理部から当該遊技用装置外部に排出する排出処理を行う排出処理手段と、
を有する遊技用装置と、
該遊技用装置と通信可能な管理装置と、
を備える遊技用システムであって、
前記供給処理手段は、前記排出処理手段により排出処理が行われることに基づいて、前記供給処理を行い、
前記記録情報処理部は、前記供給処理手段により供給処理が行われたことに応じて、当該供給処理により供給された記録媒体の記録情報を読み取り、
前記遊技用装置は、前記記録情報処理部による記録情報の読み取りに応じて、該読み取られた記録情報を前記管理装置に対して送信する記録情報送信手段をさらに有し、
前記管理装置は、
前記記録情報送信手段から受信した記録情報に基づいて、該記録情報が記録されている記録媒体が使用可能であるか否かを判定する使用判定手段と、
該使用判定手段の判定による判定結果を、前記記録情報の送信元である遊技用装置に対して送信する判定結果送信手段と、をさらに有し、
前記遊技用装置は、
前記判定結果送信手段から受信した判定結果が使用可能でない旨を示すことを条件として、前記記録情報処理部にある記録媒体の前記残有価価値特定処理への使用を禁止するための使用禁止処理を行う使用禁止処理手段と、
前記判定結果送信手段から受信した判定結果が使用可能でない旨を示すことを条件として報知を行う報知手段と、
をさらに有することを特徴とする遊技用システム。
【請求項４】
請求項３に記載した遊技用システムであって、
前記記録媒体には、当該記録媒体を個々に識別可能な記録媒体識別情報が記録され、
前記記録情報送信手段は、前記記録媒体識別情報を含む記録情報を、当該遊技用装置を個々に識別可能な遊技用装置識別情報と共に前記管理装置に対して送信し、
前記管理装置は、複数の遊技用装置の各遊技用装置識別情報と対応付けて、当該遊技用装置が有する記録情報処理部にある記録媒体の記録媒体識別情報を管理する情報管理手段をさらに有し、
前記使用判定手段は、前記記録情報送信手段から受信した記録媒体識別情報が、該記録媒体識別情報と共に受信した遊技用装置識別情報とは異なる遊技用装置識別情報と対応付けて前記情報管理手段で管理されていることを条件として、使用可能でないと判定することを特徴とする遊技用システム。
【請求項５】
請求項４に記載した遊技用システムであって、
前記遊技用装置は、前記判定結果送信手段から受信した判定結果が使用可能である旨を示すことを条件として、当該遊技用装置の遊技用装置識別情報と対応付けて前記情報管理手段で管理されている記録媒体識別情報を消去する旨を示す消去通知を当該遊技用装置の遊技用装置識別情報と共に前記管理装置に対して送信する消去通知送信手段をさらに有し、
前記管理装置は、前記消去通知送信手段から消去通知を受信したことに基づいて、当該消去通知と共に受信した遊技用装置識別情報と対応付けて前記情報管理手段で管理されている記録媒体識別情報を消去する消去手段をさらに有することを特徴とする遊技用システム。
【請求項６】
請求項４又は５に記載した遊技用システムであって、
前記管理装置は、前記使用判定手段による判定のときに、前記記録情報送信手段から受信した記録媒体識別情報が、該記録媒体識別情報と共に受信した遊技用装置識別情報とは異なる遊技用装置識別情報と対応付けて前記情報管理手段で管理されていることを条件として、当該異なる遊技用装置識別情報から特定される遊技用装置に対して、所定の異常処理を行う旨を示す異常処理通知を送信する異常処理通知手段をさらに有し、
前記遊技用装置は、前記異常処理通知手段から異常処理通知を受信したことに基づいて、前記異常処理を行う異常処理手段をさらに有することを特徴とする遊技用システム。
【請求項７】
請求項３〜６のいずれか１つに記載した遊技用システムであって、
前記記録情報処理部は、前記貨幣受付手段により貨幣を受け付けたときに、当該記録情報処理部にある記録媒体の記録情報を再度読み取り、
前記記録情報送信手段は、前記記録情報処理部により記録情報が再度読み取られたことに応じて、該読み取られた記録情報を前記管理装置に対して再度送信し、
前記使用判定手段は、前記記録情報送信手段から記録情報を再度受信したことに基づいて、前記判定を再度行うことを特徴とする遊技用システム。
【発明の詳細な説明】
【技術分野】
【０００１】
本発明は、遊技機に対応して設けられ、有価価値の大きさを特定するための情報が記録される記録媒体を収納する記録媒体収納部と、記録媒体の記録情報を読み取る記録情報処理部とを有し、受け付けた貨幣の金額に相当する有価価値の大きさのうち遊技媒体を貸与するための貸与処理に使用されていない残有価価値の大きさを、記録媒体収納部から記録情報処理部に供給された記録媒体の記録情報から特定可能にするための残有価価値特定処理を行う遊技用装置に関する。また、該遊技用装置と、該遊技用装置と通信可能な管理装置からなる遊技用システムに関する。
【背景技術】
【０００２】
従来より、例えば特許文献１に示すように、パチンコ機の側部位置に配置され、残度数が記録されるＩＣカードを貯留する発行用ストッカと、ＩＣカードに関する各種情報の読み取り及び書き込みを実施するＩＣカードリーダライタを有し、入金があったときに、発行用ストッカからＩＣカードリーダライタにＩＣカードを供給して、該ＩＣカードのエラーチェックを行い、エラーがなければ入金金額分の度数を記録し、該ＩＣカードに記録された入金金額分の度数を使用してパチンコ機での遊技を可能とするカードユニットが知られている。
【０００３】
【特許文献１】特開２００１−１８７２５６号公報（第８頁，第１２頁，図１７）
【発明の開示】
【発明が解決しようとする課題】
【０００４】
しかしながら、上記特許文献１のようなカードユニットにおいては、遊技者が入金を行った時点でＩＣカードのエラーチェックが行われるため、ＩＣカードにエラーがあった場合には、ＩＣカードに入金金額分の度数を記録することができず、直ちに遊技を行うことができない為、遊技者に迷惑がかかると共に、遊技場にとっても遊技機の稼働の低下を招くという問題がある。また、入金が行われたときに、入金金額（又は入金金額分の度数）をカードユニット内の所定記憶領域（例えばＲＡＭやＥＥＰＲＯＭ）に記憶しておき、該記憶された入金金額の範囲内で玉貸を可能とすると共に、遊技者の返却操作（例えばカード返却ボタンの操作）に基づいて玉貸に使用されなかった残額を当該カードユニット内のカードに記録して返却する（あるいは残額とカードＩＤを管理装置に送信して、管理装置側でカードＩＤに対応付けて残額を管理する）ようなカードユニットにおいて、前記返却操作の時点でカードのエラーチェックが行われると、カードにエラーがあった場合には残額を速やかに返却することができず、直ちに台移動や精算ができない為、遊技者に迷惑がかかると共に、遊技場にとっても遊技機の稼働の低下を招くという問題がある。
【０００５】
本発明は、このような背景のもとになされたものであり、その目的は、有価価値の大きさを特定するための情報（上記度数に相当）が記録される記録媒体（上記ＩＣカードに相当）を収納する記録媒体収納部（上記発行用ストッカに相当）と、記録媒体の記録情報を読み取る記録情報処理部（上記ＩＣカードリーダライタに相当）とを有し、受け付けた貨幣の金額に相当する有価価値の大きさ（上記入金金額分の度数に相当）のうち遊技媒体を貸与するための貸与処理に使用されていない残有価価値の大きさ（上記入金金額分の度数に相当）を、記録媒体収納部から記録情報処理部に供給された記録媒体の記録情報から特定可能にするための残有価価値特定処理（上記度数の記録に相当）を行う遊技用装置（上記カードユニットに相当）において、遊技者に迷惑をかけるおそれを低減させると共に、遊技場の遊技機の稼働低下を防止するような遊技用装置及び遊技用システムを提供することにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず請求項１に係る発明は、遊技機（パチンコ機１０）に対応して設けられ、貨幣（紙幣２，硬貨３）を受け付ける貨幣受付手段（紙幣識別機２３，硬貨識別機２４）と、該貨幣受付手段により受け付けた貨幣の金額に相当する有価価値の大きさ（入金金額）のうちの所定の大きさの有価価値（玉貸設定金額）を遊技媒体（パチンコ玉）の貸与に使用するための貸与処理（カード玉貸処理）を行う貸与処理手段（ユニット制御部２２）と、有価価値の大きさ（カード残額）を特定するための情報（カード残額，一般カードＩＤ）が記録される記録媒体（一般カード５）を収納する記録媒体収納部（カードストッカ２８）と、前記記録媒体の記録情報を読み取る記録情報処理部（カードＲ／Ｗ２７）と、前記記録媒体収納部に収納されている記録媒体を前記記録情報処理部に対して供給する供給処理を行う供給処理手段（カードＲ／Ｗ制御部２９）と、前記貨幣受付手段により受け付けた貨幣の金額に相当する有価価値の大きさ（入金金額）のうち前記貸与処理に使用されていない残有価価値の大きさ（カード残額）を、前記供給処理手段により記録情報処理部に供給された記録媒体の記録情報から特定可能にするための残有価価値特定処理（カード残額の記録，入金金額及び一般カードＩＤの送信）を行う残有価価値特定処理手段（カードＲ／Ｗ制御部２９）と、該残有価価値特定処理手段により残有価価値特定処理が行われた記録媒体を前記記録情報処理部から当該遊技用装置外部に排出する排出処理を行う排出処理手段（カードＲ／Ｗ制御部２９）と、を有する遊技用装置（カードユニット２０）であって、前記供給処理手段は、前記排出処理手段により排出処理が行われることに基づいて、前記供給処理を行い、前記記録情報処理部は、前記供給処理手段により供給処理が行われたことに応じて、当該供給処理により供給された記録媒体の記録情報を読み取り（供給時読取）、該記録情報処理部により読み取られた記録情報に基づいて、該記録媒体が使用可能であるか否かを判定（供給時判定）する判定手段（ユニット制御部２２）と、該判定手段により使用可能でないと判定されたことを条件として、前記記録情報処理部にある記録媒体の前記残有価価値特定処理への使用を禁止するための使用禁止処理（排出通知）を行う使用禁止処理手段（ユニット制御部２２）と、前記判定手段により使用可能でないと判定されたことを条件として報知（エラー報知）を行う報知手段（多機能ランプ２６）と、をさらに有することを特徴とする遊技用装置である。
【０００８】
また請求項２に係る発明は、請求項１に記載した遊技用装置（カードユニット２０）であって、前記記録情報処理部（カードＲ／Ｗ２７）は、前記貨幣受付手段（紙幣識別機２３，硬貨識別機２４）により貨幣（紙幣２，硬貨３）を受け付けたときに、当該記録情報処理部にある記録媒体（一般カード５）の記録情報を再度読み取り（入金時読取）、前記判定手段（ユニット制御部２２）は、前記記録情報処理部により記録情報が再度読み取られたことに基づいて、前記判定を再度行う（入金時判定）ことを特徴とする遊技用装置である。
【０００９】
また請求項３に係る発明は、遊技機（パチンコ機１０）に対応して設けられ、貨幣（紙幣２，硬貨３）を受け付ける貨幣受付手段（紙幣識別機２３，硬貨識別機２４）と、該貨幣受付手段により受け付けた貨幣の金額に相当する有価価値の大きさ（入金金額）のうちの所定の大きさの有価価値（玉貸設定金額）を遊技媒体（パチンコ玉）の貸与に使用するための貸与処理（カード玉貸処理）を行う貸与処理手段（ユニット制御部２２）と、有価価値の大きさ（カード残額）を特定するための情報（カード残額，一般カードＩＤ）が記録される記録媒体（一般カード５）を収納する記録媒体収納部（カードストッカ２８）と、前記記録媒体の記録情報を読み取る記録情報処理部（カードＲ／Ｗ２７）と、前記記録媒体収納部に収納されている記録媒体を前記記録情報処理部に対して供給する供給処理を行う供給処理手段（カードＲ／Ｗ制御部２９）と、前記貨幣受付手段により受け付けた貨幣の金額に相当する有価価値の大きさ（入金金額）のうち前記貸与処理に使用されていない残有価価値の大きさ（カード残額）を、前記供給処理手段により記録情報処理部に供給された記録媒体の記録情報から特定可能にするための残有価価値特定処理（カード残額の記録，入金金額及び一般カードＩＤの送信）を行う残有価価値特定処理手段（カードＲ／Ｗ制御部２９）と、該残有価価値特定処理手段により残有価価値特定処理が行われた記録媒体を前記記録情報処理部から当該遊技用装置外部に排出する排出処理を行う排出処理手段（カードＲ／Ｗ制御部２９）と、を有する遊技用装置（カードユニット２０）と、該遊技用装置と通信可能な管理装置（システムコントローラ６０）と、を備える遊技用システム（１）であって、前記供給処理手段は、前記排出処理手段により排出処理が行われることに基づいて、前記供給処理を行い、前記記録情報処理部は、前記供給処理手段により供給処理が行われたことに応じて、当該供給処理により供給された記録媒体の記録情報を読み取り（供給時読取）、前記遊技用装置は、前記記録情報処理部による記録情報の読み取りに応じて、該読み取られた記録情報（一般カードＩＤ）を前記管理装置に対して送信する（供給時送信）記録情報送信手段（システムコントローラ用通信部２９ａ）をさらに有し、前記管理装置は、前記記録情報送信手段から受信した記録情報に基づいて、該記録情報が記録されている記録媒体が使用可能であるか否かを判定（供給時使用判定）する使用判定手段（制御部６２）と、該使用判定手段の判定による判定結果（使用判定結果）を、前記記録情報の送信元である遊技用装置に対して送信する判定結果送信手段（ユニット用通信部６１ａ）と、をさらに有し、前記遊技用装置は、前記判定結果送信手段から受信した判定結果が使用可能でない旨を示すことを条件として、前記記録情報処理部にある記録媒体の前記残有価価値特定処理への使用を禁止するための使用禁止処理（入金禁止）を行う使用禁止処理手段（ユニット制御部２２）と、前記判定結果送信手段から受信した判定結果が使用可能でない旨を示すことを条件として報知（エラー報知）を行う報知手段（多機能ランプ２６）と、をさらに有することを特徴とする遊技用システムである。
【００１０】
また請求項４に係る発明は、請求項３に記載した遊技用システム（１）であって、前記記録媒体（一般カード５）には、当該記録媒体を個々に識別可能な記録媒体識別情報（一般カードＩＤ）が記録され、前記記録情報送信手段（システムコントローラ用通信部２９ａ）は、前記記録媒体識別情報を含む記録情報（一般カードＩＤ）を、当該遊技用装置（カードユニット２０）を個々に識別可能な遊技用装置識別情報（装置ＩＤ）と共に前記管理装置（システムコントローラ６０）に対して送信し、前記管理装置は、複数の遊技用装置の各遊技用装置識別情報と対応付けて、当該遊技用装置が有する記録情報処理部（カードＲ／Ｗ２７）にある記録媒体の記録媒体識別情報を管理する情報管理手段（カードユニットＤＢ）をさらに有し、前記使用判定手段（制御部６２）は、前記記録情報送信手段から受信した記録媒体識別情報が、該記録媒体識別情報と共に受信した遊技用装置識別情報とは異なる遊技用装置識別情報と対応付けて前記情報管理手段で管理されていることを条件として、使用可能でないと判定することを特徴とする遊技用システムである。
【００１１】
また請求項５に係る発明は、請求項４に記載した遊技用システム（１）であって、前記遊技用装置（カードユニット２０）は、前記判定結果送信手段（ユニット用通信部６１ａ）から受信した判定結果（使用判定結果）が使用可能である旨を示すことを条件として、当該遊技用装置の遊技用装置識別情報（装置ＩＤ）と対応付けて前記情報管理手段（カードユニットＤＢ）で管理されている記録媒体識別情報（一般カードＩＤ）を消去する旨を示す消去通知を当該遊技用装置の遊技用装置識別情報と共に前記管理装置（システムコントローラ６０）に対して送信する消去通知送信手段（システムコントローラ用通信部２９ａ）をさらに有し、前記管理装置は、前記消去通知送信手段から消去通知を受信したことに基づいて、当該消去通知と共に受信した遊技用装置識別情報と対応付けて前記情報管理手段で管理されている記録媒体識別情報を消去する消去手段（制御部６２）をさらに有することを特徴とする遊技用システムである。
【００１２】
また請求項６に係る発明は、請求項４又は５に記載した遊技用システム（１）であって、前記管理装置（システムコントローラ６０）は、前記使用判定手段（制御部６２）による判定（供給時使用判定，入金時使用判定）のときに、前記記録情報送信手段（システムコントローラ用通信部２９ａ）から受信した記録媒体識別情報（一般カードＩＤ）が、該記録媒体識別情報と共に受信した遊技用装置識別情報（装置ＩＤ）とは異なる遊技用装置識別情報と対応付けて前記情報管理手段（カードユニットＤＢ）で管理されていることを条件として、当該異なる遊技用装置識別情報から特定される遊技用装置に対して、所定の異常処理（入金禁止，玉貸禁止，エラー報知，排出禁止通知）を行う旨を示す異常処理通知を送信する異常処理通知手段（ユニット用通信部６１ａ）をさらに有し、前記遊技用装置（カードユニット２０）は、前記異常処理通知手段から異常処理通知を受信したことに基づいて、前記異常処理を行う異常処理手段（ユニット制御部２２）をさらに有することを特徴とする遊技用システムである。
【００１３】
さらに請求項７に係る発明は、請求項３〜６のいずれか１つに記載した遊技用システム（１）であって、前記記録情報処理部（カードＲ／Ｗ２７）は、前記貨幣受付手段（紙幣識別機２３，硬貨識別機２４）により貨幣（紙幣２，硬貨３）を受け付けたときに、当該記録情報処理部にある記録媒体（一般カード５）の記録情報を再度読み取り（入金時読取）、前記記録情報送信手段（システムコントローラ用通信部２９ａ）は、前記記録情報処理部により記録情報が再度読み取られたことに応じて、該読み取られた記録情報を前記管理装置に対して再度送信し（入金時送信）、前記使用判定手段（制御部６２）は、前記記録情報送信手段から記録情報を再度受信したことに基づいて、前記判定を再度行う（入金時使用判定）ことを特徴とする遊技用システムである。
【発明の効果】
【００１４】
まず請求項１に係る遊技用装置によれば、有価価値の大きさを特定するための情報が記録される記録媒体を収納する記録媒体収納部と、記録媒体の記録情報を読み取る記録情報処理部とを有し、受け付けた貨幣の金額に相当する有価価値の大きさのうち遊技媒体を貸与するための貸与処理に使用されていない残有価価値の大きさを、記録媒体収納部から記録情報処理部に供給された記録媒体の記録情報から特定可能にするための残有価価値特定処理を行う遊技用装置において、記録情報処理部から遊技用装置外部へ記録媒体が排出されることに基づいて、記録媒体収納部に収納されている記録媒体が記録情報処理部へ供給され、該供給がされたときに、当該供給された記録媒体が使用可能であるか否かの判定が実施され、記録媒体が使用不可のときには残有価価値特定処理への使用を禁止すると共に報知が行われるので、店員が該記録媒体を回収する等の対処を行うことができる。これによって、遊技者に迷惑をかけるおそれを著しく低減させると共に、遊技場の遊技機の稼働低下を防止することができる。つまり、具体的には、入金ができない（直ちに遊技が行えない）事態や、残額を速やかに返却することができない（直ちに台移動や精算が行えない）といった事態が発生する事を極力防止することで、遊技者に迷惑をかけるおそれを著しく低減させ、それに伴い遊技場の遊技機の稼働低下を防止することができる。
【００１５】
また請求項２に係る遊技用装置によれば、貨幣を受け付けたときに、記録媒体の記録情報を再度読み取ると共に、該記録媒体が使用可能であるか否かの判定を再度行うので、前回の判定から貨幣を受け付けるまでの間に記録媒体が使用不可となるような事態が発生した場合に、該使用不可となった記録媒体に対して残有価価値特定処理が行われるおそれが無くなる。
【００１６】
また請求項３に係る遊技用システムによれば、有価価値の大きさを特定するための情報が記録される記録媒体を収納する記録媒体収納部と、記録媒体の記録情報を読み取る記録情報処理部とを有し、受け付けた貨幣の金額に相当する有価価値の大きさのうち遊技媒体を貸与するための貸与処理に使用されていない残有価価値の大きさを、記録媒体収納部から記録情報処理部に供給された記録媒体の記録情報から特定可能にするための残有価価値特定処理を行う遊技用装置において、記録情報処理部から遊技用装置外部へ記録媒体が排出されることに基づいて、記録媒体収納部に収納されている記録媒体が記録情報処理部へ供給され、該供給がされたときに、管理装置において当該供給された記録媒体が使用可能であるか否かの判定が実施され、記録媒体が使用不可のときには、遊技用装置において残有価価値特定処理への使用を禁止すると共に報知が行われるので、店員が該記録媒体を回収する等の対処を行うことができる。これによって、遊技者に迷惑をかけるおそれを著しく低減させると共に、遊技場の遊技機の稼働低下を防止することができる。つまり、具体的には、入金ができない（直ちに遊技が行えない）事態や、残額を速やかに返却することができない（直ちに台移動や精算が行えない）といった事態が発生する事を極力防止することで、遊技者に迷惑をかけるおそれを著しく低減させ、それに伴い遊技場の遊技機の稼働低下を防止することができる。
【００１７】
また請求項４に係る遊技用システムによれば、管理装置が受信した記録媒体識別情報が、該記録媒体識別情報と共に受信した遊技用装置識別情報とは異なる遊技用装置識別情報と対応付けて管理されていることを条件として、使用可能でないと判定するので、他の記録媒体に記録されている記録媒体識別情報と同一の記録媒体識別情報が不正に記録されたおそれのある記録媒体の使用を防止することができる。
【００１８】
また請求項５に係る遊技用システムによれば、遊技用装置が受信した判定結果が使用可能である旨を示すことを条件として、管理装置が該遊技用装置の遊技用装置識別情報に対応する記録媒体識別情報を消去しておくので、遊技用装置に記録媒体が挿入されるときには、該遊技用装置と管理装置間で前記消去を行うためのやりとりを行う必要がなく、当該挿入される記録媒体に関する処理を迅速に行うことができる。
【００１９】
また請求項６に係る遊技用システムによれば、管理装置が受信した記録媒体識別情報が、該記録媒体識別情報と共に受信した遊技用装置識別情報とは異なる遊技用装置識別情報と対応付けて管理されていることを条件として、当該異なる遊技用装置識別情報の遊技用装置において所定の異常処理が行われるので、他の記録媒体に記録されている記録媒体識別情報と同一の記録媒体識別情報が不正に記録されたおそれのある記録媒体が既に使用されている場合に、該使用中の記録媒体に対する処置が可能となる。
【００２０】
さらに請求項７に係る遊技用システムによれば、遊技用装置において貨幣を受け付けたときに、記録媒体の記録情報を再度読み取ると共に、管理装置において該記録媒体が使用可能であるか否かの判定を再度行うので、前回の判定から貨幣を受け付けるまでの間に記録媒体が使用不可となるような事態が発生した場合に、該使用不可となった記録媒体に対して残有価価値特定処理が行われるおそれが無くなる。
【発明を実施するための最良の形態】
【００２１】
以下、本発明の実施の形態を、図面を参照して説明する。なお、以下においては、リーダ／ライタを「Ｒ／Ｗ」，データベースを「ＤＢ」と略記する。
【００２２】
まず、本発明に係る遊技用装置及び遊技用システムの概要について説明する。本発明に係る遊技用装置は、図１〜図３に示すように、遊技機であるパチンコ機１０に対応して設けられるカードユニット２０であり、本発明に係る遊技用システムは、図１及び図２に示すように、該カードユニット２０と、該カードユニット２０と通信可能な管理装置であるシステムコントローラ６０を備える遊技用システム１である。この遊技用システム１では記録媒体として一般カード５が使用される。この遊技用システム１に含まれる各構成要素は遊技場内に設けられており、システムコントローラ６０は、当該遊技場内に設けられ、一般カード５のカード残額を精算する精算装置８０と通信可能である。また、システムコントローラ６０は、後述する一般カード５の発行及び管理を行うカード会社に設けられている管理サーバ９０とも通信可能である。
【００２３】
カードユニット２０においては、図２及び図３に示すように、貨幣（紙幣２，硬貨３）を受け付けて認識すると、現在のカード残額＋入金金額を、カードＲ／Ｗ２７の一般カード５に新たなカード残額として記録して、カード玉貸可能状態となり（又はカード玉貸可能状態を継続し）、該カード残額を使用して遊技媒体であるパチンコ玉を貸与可能である。そして、カード残額が全額使用されたときには、一般カード５をカードＲ／Ｗ２７部に留保する一方、カード残額が完全には使用されず残存したときには、カード返却ボタン１６の操作によって該未使用のカード残額が記録されている一般カード５を遊技者に返却することが可能である。
【００２４】
また、カードユニット２０では、カード残額が零でない一般カード５（つまり上記遊技者に返却された一般カード５であり、以下「残額有りの一般カード５」という。）を外部から受け付けて、カード玉貸可能状態となり、該カード残額を使用してパチンコ玉を貸与可能である。つまり、一般カード５による台移動が可能である。
【００２５】
このカードユニット２０では、カードＲ／Ｗ２７の一般カード５が外部に排出されることに応じて、カードストッカ２８に貯留されている一般カード５のうちの１枚をカードＲ／Ｗ２７に供給する供給処理が行われるようになっている。そして、カードＲ／Ｗ２７に供給されてきた一般カード５が使用可能であるか否かの判定（供給時判定）が、ユニット制御部２２によって実施され、使用可能でないと判定された場合には、多機能ランプ２６でのエラー報知及び当該一般カード５の排出処理が行われる。また、カードユニット２０への貨幣入金の際にも、カードＲ／Ｗ２７の一般カード５が使用可能であるか否かの判定（入金時判定）が、ユニット制御部２２によって実施され、使用可能でないと判定された場合には、多機能ランプ２６でのエラー報知及び当該一般カード５の排出処理が行われる。
【００２６】
システムコントローラ６０では、上記カードユニット２０において供給処理が行われたことに基づいて、該カードユニット２０から記録情報（一般カードＩＤ）を受信して、該記録情報が記録されている一般カード５（即ち供給処理により供給されたカード）が使用可能であるか否かの判定（供給時使用判定）が、制御部６２によって実施され、使用可能でないと判定された場合には、使用不可である旨を示す使用判定結果が前記カードユニット２０に送信される。該使用判定結果を受信したカードユニット２０では、入金が禁止され、多機能ランプ２６でエラー報知が行われ、当該一般カード５の排出処理が禁止される。また、カードユニット２０への貨幣入金の際にも、該カードユニット２０から記録情報（一般カードＩＤ）を受信して、該記録情報が記録されている一般カード５（即ち入金金額を記録するカード）が使用可能であるか否かの判定（入金時使用判定）が、制御部６２によって実施され、使用可能でないと判定された場合には、使用不可である旨を示す使用判定結果が前記カードユニット２０に送信される。該使用判定結果を受信したカードユニット２０では、入金が禁止され、多機能ランプ２６でエラー報知が行われ、当該一般カード５の排出処理が禁止される。
【００２７】
次に、カードユニット２０及び遊技用システム１の構成について図１〜図７を参照して説明する。
【００２８】
図１及び図２に示すように、カードユニット２０は、ハブ（ＨＵＢ）４０，中継器５０，及び通信ケーブルを介して、システムコントローラ６０と双方向のデータ通信可能に接続されており、各接続機器にはそれぞれローカルＩＰアドレスが付与されてローカルエリアネットワーク（ＬＡＮ）が形成されている。また、システムコントローラ６０と精算装置８０とは、個別の通信ケーブルを介して、比較的高速のデータ通信を実施可能に接続されている。また、前記システムコントローラ６０は、通信回線を介して、カード会社に設置された管理サーバ９０と双方向のデータ通信を実施できるように接続されていて、カード会社は、該管理サーバ９０にて、各遊技場の一般カード５による売上や、システムコントローラ６０及びカードユニット２０のエラー状況等を把握できるようになっている。本発明に係る遊技用システム１では、図２及び図３に示すように、紙幣２，硬貨３，及び一般カード５が使用される。
【００２９】
紙幣２は貨幣の一例であって、ここでは図３に示すように、1000円紙幣，2000円紙幣，5000円紙幣，及び10000円紙幣の４種類の紙幣である。また硬貨３も貨幣の一例であって、ここでは図３に示すように、100円硬貨，及び500円硬貨の２種類の硬貨である。
【００３０】
一般カード５は記録媒体の一例であって、遊技媒体（パチンコ玉）の貸与に使用可能な有価価値の大きさ（カード残額）を特定するための情報（一般カードＩＤ，カード残額）が記録されるカードである。本例における一般カード５には、該一般カード５を個々に識別可能な一般カードＩＤと、有価価値の大きさ自体であるカード残額が記録されている。ここで、一般カードＩＤは、後述するシステムコントローラ６０の一般カードＤＢにおいてカード残額と対応付けて管理されているので、遊技用システム１においては、一般カードＩＤから対応するカード残額を特定可能である。また、カード残額は、それ自体が有価価値の大きさである。つまり、本例の一般カードＩＤ，カード残額は、いずれも有価価値の大きさを特定するための情報である。
【００３１】
この一般カード５は、長方形状を呈するプラスチック製の薄板における所定の部位に、一般カードＩＤ及びカード残額等が記録される記録領域（図示外）が形成されてなるものであり、ここでは該記録領域として不揮発性のＥＥＰＲＯＭを備える非接触式の集積回路を搭載したＩＣカードである。この一般カード５は、カードユニット２０及び精算装置８０において使用される。以下では、この一般カード５を、単にカードとも呼ぶ。
【００３２】
パチンコ機１０は遊技機の一例であって、図１〜図３に示すように、カードユニット２０に対応して設けられ、遊技媒体であるパチンコ玉を遊技領域に打ち込むことにより遊技を行うものであり、ここでは対応するカードユニット２０との間でパチンコ玉の貸与に関する信号のやり取りが行われて玉貸処理（後述するカード玉貸処理）が行われる、いわゆるＣＲ式のパチンコ機である。このパチンコ機１０は、遊技場内に配置された遊技島（図示外）において該パチンコ機１０の機種等に従って設置されている。
【００３３】
このパチンコ機１０は、図３（ａ）に示すように、その前面に遊技領域，上皿，下皿，及び発射ハンドル等を備えると共に、残度数表示器１４，玉貸ボタン１５，及びカード返却ボタン１６を備え、図２に示すように、その内部に遊技制御基板１１，払出制御基板１２，及び玉払出装置１３等を備えており、これらの各構成要素は図２に示すように接続されている。前記遊技領域には可変表示装置が設けられると共に、始動入賞口，大入賞口，及びその他の入賞口が設けられている。このパチンコ機１０は、台番号により個々に識別可能となっている。
【００３４】
遊技制御基板１１は、パチンコ機１０における遊技状態を制御するものである。払出制御基板１２は、カードユニット２０の玉貸通信部２１ｂと通信可能に接続され、パチンコ機１０とカードユニット２０との間における通信を司るものである。これにより、玉貸処理が行われる場合に、パチンコ機１０とカードユニット２０との間でパチンコ玉の貸出に関する信号のやり取りが行われる。また払出制御基板１２は、玉払出装置１３と接続され、該玉払出装置１３を制御するものである。さらに払出制御基板１２は、残度数表示器１４，玉貸ボタン１５，及びカード返却ボタン１６とも接続されている。玉払出装置１３は、玉貸処理が行われて遊技者に貸し出されるパチンコ玉や、遊技の結果として遊技者に付与されるパチンコ玉（いわゆる賞球）を払い出すものである。
【００３５】
このパチンコ機１０においては、前記遊技領域に打ち込まれたパチンコ玉が始動入賞口に入賞すると、遊技領域に設けられた可変表示装置が変動を開始して所定時間の経過後に該変動が停止し、該可変表示装置の表示結果が予め定められた態様（例えば「０００」〜「９９９」のいずれかのゾロ目）になると、遊技者にとって有利な遊技状態である大当り状態（単に「大当り」とも呼ぶ）が発生するる。
【００３６】
また遊技領域に打ち込まれたパチンコ玉が、該遊技領域に設けられた始動入賞口，大入賞口，及びその他の入賞口に入賞すると、払出制御基板１２の制御により、予め定められた数のパチンコ玉が賞球として玉払出装置１３から払い出される。
【００３７】
残度数表示器１４は、カードＲ／Ｗ２７にて受け付けている一般カード５に記録されているカード残額に相当する残度数を表示するための表示器であり、本例では、図３に示すように５桁の７セグメント表示器によって構成されている。ここで残度数は、カード残額が所定の比率で変換されたもの（例えば１００円＝１度数）である。図２に示すように、残度数表示器１４に玉貸通信部２１ｂから残度数を示す度数表示信号が入力されることにより、残度数が表示される。この残度数は下位３桁に表示される。
【００３８】
玉貸ボタン１５は、カードＲ／Ｗ２７にて受け付けている一般カード５に記録されているカード残額を使用するための玉貸操作を受け付けるボタンである。図２に示すように、玉貸ボタン１５が操作されたことにより、玉貸通信部２１ｂに貸出入力信号が入力され、該入力の検出によってユニット制御部２２が玉貸ボタン１５が操作された旨を認識する。
【００３９】
カード返却ボタン１６は、カードＲ／Ｗ２７にて受け付けている一般カード５を遊技用装置外部に排出するための返却操作を受け付けるものである。図２に示すように、カード返却ボタン１６が操作されたことにより、玉貸通信部２１ｂに返却入力信号が入力され、該入力の検出によってユニット制御部２２がカード返却ボタン１６が操作された旨を認識し、カードＲ／Ｗ制御部２９によりカードＲ／Ｗ２７にて受け付けているカード（残額有りの一般カード５）の排出処理が行われ、一般カード５がカード挿入口２７ａから排出されて抜取待ち状態となる。この抜取待ち状態とは、ここでは一般カード５の一端がカード挿入口２７ａから外部に突出した状態（つまり遊技者がカードを抜き取り可能な状態）を指す。
【００４０】
上記の残度数表示器１４，玉貸ボタン１５，及びカード返却ボタン１６は、図３に示すようにパチンコ機１０の前面（ここでは上皿）に設けられているが、図２に示すように、カードユニット２０と接続されているので、遊技用装置であるカードユニット２０に属するものでもある。
【００４１】
カードユニット２０は遊技用装置の一例であって、図２及び図３（ａ）に示すように、パチンコ機１０に対応して（ここではパチンコ機１０の左側に隣接して）設けられている。このカードユニット２０は、縦長の箱型の形状を呈するものであり、図３（ａ）に示すように、その前面に多機能ランプ２６，紙幣挿入口２３ａ，硬貨挿入口２４ａ，硬貨返却ボタン２４ｅ，硬貨返却口２４ｆ，及びカード挿入口２７ａ等を備え、図２及び図３（ｂ）に示すように、その内部に玉貸通信部２１ｂ，ユニット制御部２２，紙幣識別機２３，硬貨識別機２４，カードＲ／Ｗ２７，カードストッカ２８，カードＲ／Ｗ制御部２９，及びシステムコントローラ用通信部２９ａ等を備えており、これらの各構成要素は図２に示すように接続されている。なお、各カードユニット２０は、装置ＩＤによって個々に識別可能とされている。
【００４２】
玉貸通信部２１ｂは、前述の如くパチンコ機１０の払出制御基板１２と接続されている。図２に示すように、この玉貸通信部２１ｂには、払出制御基板１２からＥＸＳ信号，ＰＲＤＹ信号，前記貸出入力信号，及び前記返却入力信号が入力される。また、玉貸通信部２１ｂから払出制御基板１２に対して、ＢＲＤＹ信号，ＢＲＱ信号，及び前記度数表示信号が出力される。なお、ＥＸＳ信号，ＰＲＤＹ信号，ＢＲＤＹ信号，ＢＲＱ信号はパチンコ玉の払出を行う際の制御信号であり、各々ＥＸＳ，ＰＲＤＹ，ＢＲＤＹ，ＢＲＱとも呼ぶ。
【００４３】
ユニット制御部２２は、ＣＰＵ，ＲＡＭ，ＲＯＭ，ＥＥＰＲＯＭ等を備えており、ＲＯＭ（あるいはＥＥＰＲＯＭ）に記憶されている処理プログラムがＲＡＭを作業領域としてＣＰＵで実行されることにより、カードユニット２０に備えられる各構成要素の動作を制御して（あるいは各構成要素からの信号を受信して）各種の処理を行うものである。なおＲＯＭには、前記装置ＩＤが記憶されている。このユニット制御部２２には、図２に示すように、前記玉貸通信部２１ｂの他、後述する紙幣識別機２３，硬貨識別機２４，多機能ランプ２６，及びカードＲ／Ｗ制御部２９等が接続されている。
【００４４】
このユニット制御部２２は貸与処理手段の一例であって、後述する貨幣受付手段（紙幣識別機２３，硬貨識別機２４）により受け付けた貨幣（紙幣２，硬貨３）の金額に相当する有価価値の大きさ（入金金額）のうちの所定の大きさの有価価値（玉貸設定金額）を遊技媒体（パチンコ玉）の貸与に使用するための貸与処理（カード玉貸処理）を行うものである。
【００４５】
具体的には、図７及び図８に示すように、紙幣識別機２３又は硬貨識別機２４に、紙幣２又は硬貨３が入金されたことを条件として、識別された入金金額をカードＲ／Ｗ２７の一般カード５のカード残額に加算して（即ち〔現在のカード残額＋入金金額〕を、新たなカード残額として記録して）、カード玉貸可能状態となる（既にカード玉貸可能状態である場合には該状態を継続する）。そして、図９に示すように、該状態で玉貸ボタン１５が操作されて貸出入力信号が入力されたときに、後述するカードＲ／Ｗ２７により受け付けている一般カード５に記録されたカード残額と予め設定された玉貸設定金額（例えば５００円）とを比較して、カード残額≧玉貸設定金額であれば該玉貸設定金額に相当する度数のパチンコ玉の払出を払出制御基板１２に対して指示し、払出制御基板１２が指示された度数分のパチンコ玉の払出を玉払出装置１３により行う。一方、カード残額＜玉貸設定金額であれば該カード残額に相当する度数のパチンコ玉の払出を払出制御基板１２に対して指示し、払出制御基板１２が該指示された度数分のパチンコ玉の払出を玉払出装置１３により行う。以下、貸与処理手段による貸与処理を「カード玉貸処理」と呼ぶ。
【００４６】
このユニット制御部２２は上記の他、判定手段，使用禁止処理手段，及び異常処理手段としても機能するが、その機能については後述する。
【００４７】
紙幣識別機２３は貨幣受付手段の一例であって、貨幣を受け付けるものであり、ここでは図３（ｂ）に示すように、入金可能な状態で、紙幣挿入口２３ａから挿入され搬送されてきた紙幣２を受け付けて、該受け付けた紙幣２が前記４種類の紙幣のうちのいずれの紙幣であるかを識別する（いずれの紙幣でもなければ正規の紙幣ではないと識別する）識別機である。この識別により、受付けた紙幣が正規の紙幣２（1000円紙幣、2000円紙幣、5000円紙幣、10000円紙幣）であれば、識別結果（識別された紙幣２に応じた入金金額）をユニット制御部２２に出力する。なお識別が完了した正規の紙幣２は、紙幣通路２３ｂを通じてカードユニット２０の背面から外部に排出され、遊技島に設けられた紙幣搬送機構（図示外）により搬送されて、金庫（図示外）に回収される。なお、入金不可の状態である場合や、正規の紙幣ではないと識別した場合には、受け付けた紙幣２を紙幣挿入口２３ａから返却する。
【００４８】
硬貨識別機２４も貨幣受付手段の一例であって、貨幣を受け付けるものであり、ここでは図３（ｂ）に示すように、入金可能な状態で、硬貨挿入口２４ａから投入され、硬貨通路２４ｂを通じて搬送された硬貨３を受け付けて、該受け付けた硬貨３が前記２種類の硬貨のうちのいずれの硬貨であるかを識別する（いずれの硬貨でもなければ正規の硬貨ではないと識別する）識別機である。この識別により、受付けた硬貨が正規の硬貨３（100円硬貨、500円硬貨）であれば、識別結果（識別された硬貨３に応じた入金金額）をユニット制御部２２に出力する。なお識別が完了した正規の硬貨３は、硬貨通路２４ｃを通じてカードユニット２０の背面から外部に排出され、遊技島に設けられた硬貨搬送機構（図示外）により搬送されて、金庫（図示外）に回収される。硬貨返却ボタン２４ｅは、硬貨通路２４ｂや硬貨識別機２４において詰まった硬貨３の返却操作を受け付けるためのボタンであり、遊技者により硬貨返却ボタン２４ｅが操作されると、該詰まった硬貨３が硬貨通路２４ｄを通じて硬貨返却口２４ｆに戻る。なお、入金不可の状態である場合や、正規の硬貨ではないと識別した場合には、受け付けた硬貨３を硬貨通路２４ｄを通じて硬貨返却口２４ｆから返却する。
【００４９】
本例では、後述するユニット制御部２２により、カード残額が所定額（ここでは１０００円）以下である状態で上記貨幣受付手段における貨幣の受付が可（入金可の状態）とされ、カード残額が上記所定額を超えている状態では、上記貨幣受付手段における貨幣の受付が不可（入金不可の状態）とされる。
【００５０】
多機能ランプ２６は、カードユニット２０の状態を報知するものであり、３原色であるＲＧＢ光の各色の発光が可能なＬＥＤモジュールを内在しており、これらＲＧＢ光の発光を制御することで、発光色を可変できるようになっている。
【００５１】
この多機能ランプ２６は報知手段の一例であって、後述する判定手段（ユニット制御部２２）により使用可能でないと判定されたことを条件として報知を行うものであり、具体的には後述するカードストッカ２８からカードＲ／Ｗ２７へのカードの供給処理に伴う供給時判定（図１２のＳ７０９）及び貨幣受付手段（紙幣識別機２３，硬貨識別機２４）により貨幣（紙幣２，硬貨３）を受け付けたことに伴う入金時判定（図７のＳ１０７）において、記録媒体が使用不可であると判定された場合に、赤で点滅することによってカードが使用不可である旨のエラー報知を行う。なお、本例では、後述するカードユニット２０への一般カード５の挿入に伴う挿入時判定（図１０のＳ５０８）において、記録媒体が使用不可であると判定された場合にも、赤で点滅することによってカードが使用不可である旨のエラー報知を行うようになっている。
【００５２】
また、報知手段として機能する多機能ランプ２６は、後述する判定結果送信手段（ユニット用通信部６１ａ）から受信した判定結果が使用可能でない旨を示すことを条件として報知を行うものであり、具体的には後述するシステムコントローラ６０における、カードストッカ２８からカードＲ／Ｗ２７へのカードの供給処理に伴う供給時使用判定（図１３のＳ８００）及び貨幣受付手段（紙幣識別機２３，硬貨識別機２４）により貨幣（紙幣２，硬貨３）を受け付けたことに伴う入金時使用判定（図８のＳ２０１）において、記録媒体が使用不可であると判定され、使用不可である旨を示す使用判定結果を受信した場合に、赤で点滅することによってカードが使用不可である旨のエラー報知を行う。なお、本例では、後述するカードユニット２０への一般カード５の挿入に伴う挿入時使用判定（図１１のＳ６００）において、記録媒体が使用不可であると判定され、使用不可である旨を示す使用判定結果を受信した場合にも、赤で点滅することによってカードが使用不可である旨のエラー報知を行うようになっている。
【００５３】
カードＲ／Ｗ２７は記録情報処理部の一例であって、記録媒体（一般カード５）の記録情報を読み取るものであり、ここでは、後述する供給処理手段（カードＲ／Ｗ制御部２９）により供給処理が行われたことに応じて、当該供給処理により供給された記録媒体の記録情報を読み取る。具体的には、図１１のＳ６３４や図１２のＳ７０７に示すように、カードストッカ２８からカードＲ／Ｗ２７に一般カード５が供給されてきたときに、該一般カード５の記録情報（カード残額，一般カードＩＤ）を読み取る（この読取処理を「供給時読取」と呼ぶ）。
【００５４】
ここで、記録情報処理部として機能するカードＲ／Ｗ２７は、貨幣受付手段（紙幣識別機２３，硬貨識別機２４）により貨幣（紙幣２，硬貨３）を受け付けたときに、記録情報処理部にある記録媒体の記録情報を再度読み取るものである。具体的には、図７のＳ１０５に示すように、貨幣が入金されたときにも、カードＲ／Ｗ２７の一般カード５の記録情報（カード残額，一般カードＩＤ）を読み取る（この読取処理を「入金時読取」と呼ぶ）。
【００５５】
さらに、カードＲ／Ｗ２７は、図１０のＳ５０６に示すように、カード挿入口２７ａから前方挿入された一般カード５を受け付けたときにも、該受け付けた一般カード５の記録情報（ここでは一般カードＩＤ，カード残額）を読み取る（この読取処理を「挿入時読取」と呼ぶ）。なお、カードＲ／Ｗ２７は、図８のＳ３１１に示すように、入金が行われて貨幣が識別され、入金時判定及び入金時使用判定によって、カードが使用可であると判定されたことに基づいて、当該カードＲ／Ｗ２７部の一般カード５に対して、現在のカード残額＋入金金額を、新たなカード残額として記録する処理を行う。さらに、ユニット制御部２２でカード玉貸処理が実施され、使用金額の通知を受けたことに基づいて、当該カードＲ／Ｗ２７部の一般カード５に対して、現在のカード残額−使用金額を、新たなカード残額として記録する処理を行う。このカードＲ／Ｗ２７は、前記ＩＣカードである一般カード５に対応したＩＣカードＲ／Ｗを備えている。
【００５６】
このカードＲ／Ｗ２７付近には、カードの取込処理及び排出処理を行うための第１モータ（図示外）が設けられている。該第１モータが正方向に回転すると、カードを搬送するためのベルト（図示外）が正方向に回動して前方挿入カードの取込を行う取込処理が実施される。この取込処理により取り込まれたカードは、カードＲ／Ｗ２７にて受け付けられる。また、前記第１モータが逆方向に回転すると、前記ベルトが逆方向に回動してカードＲ／Ｗ２７部のカードの排出を行う排出処理が実施される。この排出処理によりカードが排出されて、抜取待ち状態となる。
【００５７】
カードストッカ２８は、記録媒体収納部の一例であって、有価価値の大きさ（カード残額）を特定するための情報（カード残額，一般カードＩＤ）が記録される記録媒体（一般カード５）を収納するものである。このカードストッカ２８はカードＲ／Ｗ２７の背面側に設けられ、カード残額が零の一般カード５を所定数（ここでは１０枚）迄ストックするものであり、カードＲ／Ｗ２７と連接され、カードＲ／Ｗ２７から搬送されてきた一般カード５を収納する。
【００５８】
このカードストッカ２８付近には、カードの収納処理及び供給処理を行うための第２モータ（図示外）が設けられている。該第２モータが正方向に回転すると、カードを搬送するためのスライダ（図示外）により（又は該スライダと前記ベルトの連動により）、カードＲ／Ｗ２７部のカードをカードストッカ２８に収納する収納処理が実施される。また、前記第２モータが逆方向に回転すると、前記スタイダにより（又は該スライダと前記ベルトの連動により）カードストッカ２８に収納されているカード（ストックカード）の１枚をカードＲ／Ｗ２７部まで供給する供給処理が実施される。この供給処理により、カードがカードＲ／Ｗ２７に待機した状態となる。
【００５９】
カードＲ／Ｗ制御部２９は、ＣＰＵ，ＲＡＭ，ＥＥＰＲＯＭ等を備え、カードＲ／Ｗ２７が受け付けた一般カード５とのデータ送受を行う通信部や、カードＲ／Ｗ２７の制御を行うコントローラ等も備えている。このカードＲ／Ｗ制御部２９は、図２に示すように、ユニット制御部２２に接続されており、該ユニット制御部２２との各種データの送受が実施可能とされている。このカードＲ／Ｗ制御部２９には、上記第１モータ及び第２モータも接続される。また、カード挿入口２７ａ付近に設けられ、カードの前方挿入及びカードの抜き取りを検出するためのセンサ（図示外）とも接続されている。
【００６０】
ここで、カードＲ／Ｗ制御部２９は供給処理手段の一例であって、記録媒体収納部（カードストッカ２８）に収納されている記録媒体（一般カード５）を記録情報処理部（カードＲ／Ｗ２７）に対して供給する供給処理を行うものであり、ここでは、後述する排出処理手段（カードＲ／Ｗ制御部２９）により排出処理が行われることに基づいて供給処理を行う。具体的には、一般カード５が排出された後、カードの抜き取りをカード挿入口２７ａ付近のセンサにより検出すると、前記第２モータを逆方向に回転させる制御を行い、カードストッカ２８に収納されているカード（ストックカード）の１枚をカードＲ／Ｗ２７部まで供給する供給処理を実施する。
【００６１】
またカードＲ／Ｗ制御部２９は残有価価値特定処理手段の一例であって、貨幣受付手段（紙幣識別機２３，硬貨識別機２４）により受け付けた貨幣（紙幣２，硬貨３）の金額に相当する有価価値の大きさ（入金金額）のうち貸与処理（カード玉貸処理）に使用されていない残有価価値の大きさ（カード金額）を、供給処理手段（カードＲ／Ｗ制御部２９）により記録情報処理部（カードＲ／Ｗ２７）に供給された記録媒体（一般カード５）の記録情報から特定可能にするための残有価価値特定処理（カード残額の記録，入金金額及び一般カードＩＤの送信）を行うものである。具体的には、紙幣識別機２３又は硬貨識別機２４により、紙幣２又は硬貨３を受け付けて入金金額を識別すると、入金時判定及び入金時使用判定によって、カードが使用可であると判定されたことを条件として、カードＲ／Ｗ２７に対して、現在のカード残額＋入金金額を、新たなカード残額として一般カード５に記録する指示を送ると共に、入金金額及び当該一般カードＩＤをシステムコントローラ用通信部２９ａからシステムコントローラ６０に対して送信する処理を行う。その結果、一般カード５には、これまでの入金金額のうちのカード玉貸処理に使用されていない額（即ち残有価価値の大きさ）が、新たなカード残額として記録されることとなり（図８のＳ３１１）、システムコントローラ６０においては、一般カードＤＢで受信した一般カードＩＤに対応付けて記憶されているカード残額に、入金残額が加算更新されることで（図８のＳ２１１）、残有価価値の大きさが一般カードＩＤに対応付けて管理されることとなる。つまり残有価価値の大きさであるカード残額が、一般カード５の記録情報（カード残額，一般カードＩＤ）から特定可能となる。
【００６２】
またカードＲ／Ｗ制御部２９は排出処理手段の一例であって、残有価価値特定処理手段（カードＲ／Ｗ制御部２９）により残有価価値特定処理（カード残額の記録，入金金額及び一般カードＩＤの送信）が行われた記録媒体（一般カード５）を記録情報処理部（カードＲ／Ｗ２７）から当該遊技用装置（カードユニット２０）外部に排出する排出処理を行うものである。具体的には、カードＲ／Ｗ制御部２９は、図１２のＳ７０４に示すように、カード返却ボタン１６の操作が検出され、かつカード玉貸可能状態であることに基づいて、残額有りの一般カード５をカードＲ／Ｗ２７から排出する処理（つまり遊技者に対して残額有りの一般カード５を発行する処理）を行う。
【００６３】
またカードＲ／Ｗ制御部２９は、図９のＳ４１８に示すように、カード玉貸処理の結果、カード残額が零となった場合には、排出処理又は収納処理を行わず、カードＲ／Ｗ２７に一般カード５を留保しておく。さらに、カードＲ／Ｗ制御部２９は、図１０のＳ５０３に示すように、カードが前方挿入されるときには、留保しているカードＲ／Ｗ２７部のカード（残額無しの一般カード５）をカードストッカ２８に収納する収納処理を行う。
【００６４】
カードＲ／Ｗ制御部２９は、システムコントローラ用通信部２９ａを備えている。このシステムコントローラ用通信部２９ａは、ハブ４０，中継器５０，及び通信ケーブルを介して、システムコントローラ６０のユニット用通信部６１ａに接続され、カードＲ／Ｗ制御部２９とシステムコントローラ６０とのデータ通信を実施可能とされている。このシステムコントローラ用通信部２９ａから情報を送信するにあたっては、カードＲ／Ｗ制御部２９が前記ユニット制御部２２から装置ＩＤを取得して、該取得した装置ＩＤも前記情報と共に送信する。
【００６５】
このシステムコントローラ用通信部２９ａは記録情報送信手段の一例であって、記録情報処理部（カードＲ／Ｗ２７）による記録情報（カード残額，一般カードＩＤ）の読み取りに応じて、該読み取られた記録情報（一般カードＩＤ）を管理装置に対して送信するものであり、ここでは記録媒体識別情報（一般カードＩＤ）を含む記録情報を、当該遊技用装置（カードユニット２０）を個々に識別可能な遊技用装置識別情報（装置ＩＤ）と共に前記管理装置（システムコントローラ６０）に対して送信する（供給時送信）。具体的には、図１１のＳ６３４や図１２のＳ７０７に示す供給時読取が行われたときに、この際読み取られた一般カードＩＤを、図１２のＳ７１１に示すように、当該カードユニット２０の装置ＩＤと共にシステムコントローラ６０に対して送信する（この送信処理を「供給時送信」と呼ぶ）。
【００６６】
ここで、記録情報送信手段として機能するシステムコントローラ用通信部２９ａは、記録情報処理部（カードＲ／Ｗ２７）により記録情報（カード残額，一般カードＩＤ）が再度読み取られたことに応じて、該読み取られた記録情報（一般カードＩＤ）を管理装置（システムコントローラ６０）に対して再度送信する（入金時送信）。具体的には、図７のＳ１０５，Ｓ１０７，Ｓ１１１に示すように、入金時読取が行われ、入金時判定によって使用可と判定された場合に、この際読み取られた一般カードＩＤを、入金金額及び当該カードユニット２０の装置ＩＤと共に、システムコントローラ６０に対して送信する（この送信処理を「入金時送信」と呼ぶ）。
【００６７】
またシステムコントローラ用通信部２９ａは消去通知送信手段の一例であって、後述する判定結果送信手段（ユニット用通信部６１ａ）から受信した判定結果（使用判定結果）が使用可能である旨を示すことを条件として、当該遊技用装置（カードユニット２０）の遊技用装置識別情報（装置ＩＤ）と対応付けて後述する情報管理手段（カードユニットＤＢ）で管理されている記録媒体識別情報（一般カードＩＤ）を消去する旨を示す消去通知を、当該遊技用装置の遊技用装置識別情報と共に管理装置（システムコントローラ６０）に対して送信するものである。具体的には、図１３のＳ９０２に示すように、システムコントローラ６０から受信した使用判定結果が、使用可能である旨を示すときに（Ｙ）、当該カードユニット２０の装置ＩＤと対応付けて記憶されている一般カードＩＤを消去する旨を示す消去通知，及び当該カードユニット２０の装置ＩＤが、システムコントローラ用通信部２９ａからシステムコントローラ６０に対して送信される（Ｓ９１１）。
【００６８】
このシステムコントローラ用通信部２９ａは、貨幣受付手段（紙幣識別器２３，硬貨識別器２４）により受け付けた貨幣（紙幣２，硬貨３）の金額に相当する有価価値の大きさ（入金金額）を遊技用装置外部に送信するものであり、前述したように、紙幣識別機２３，硬貨識別機２４により識別された入金金額をユニット制御部２２を介して受信したカードＲ／Ｗ制御部２９が、該入金金額を、一般カードＩＤ及び当該カードユニット２０の装置ＩＤと共に、システムコントローラ用通信部２９ａからシステムコントローラ６０に対して送信する。
【００６９】
またシステムコントローラ用通信部２９ａは、カード玉貸処理における使用金額を管理装置（システムコントローラ６０）に対して送信するものであり、カード玉貸処理が行われたときに、カードＲ／Ｗ制御部２９が、使用金額（ここではユニット制御部２２から払出制御基板１２に指示した度数に相当する金額であり、例えば玉貸設定金額分の５００円）及び一般カードＩＤを、当該カードユニット２０の装置ＩＤと共に、システムコントローラ用通信部２９ａからシステムコントローラ６０に対して送信する。
【００７０】
さらにシステムコントローラ用通信部２９ａは、外部から挿入された記録媒体（一般カード５）をカードＲ／Ｗ２７により受け付けたときに、貸与許諾要求を管理装置（システムコントローラ６０）に対して送信するものであり、図１０のＳ５１１に示すように、カードＲ／Ｗ２７が、残額有りの一般カード５を外部から受け付けたときに、カードＲ／Ｗ制御部２９が、挿入時読取において読み取った一般カードＩＤ，カード残額を含む貸与許諾要求を、当該カードユニット２０の装置ＩＤと共に、システムコントローラ用通信部２９ａからシステムコントローラ６０に対して送信する。
【００７１】
次に前述したユニット制御部２２の他の機能について説明する。
【００７２】
ユニット制御部２２は判定手段の一例であって、記録情報処理部（カードＲ／Ｗ２７）により読み取られた記録情報（カード残額，一般カードＩＤ）に基づいて、該記録媒体が使用可能であるか否かを判定するものである。ここでは図１２のＳ７０９に示すように、カードＲ／Ｗ制御部２９から供給時読取で読み取られたカード残額及び一般カードＩＤを受けて、カードＲ／Ｗ２７のカードが使用可能であるか否かを判定する（この判定を「供給時判定」と呼ぶ）。具体的には、読み取られたカード残額及び一般カードＩＤが、各々所定形式のデータであるか否かによって判定する（いずれも所定形式であれば使用可，少なくともいずれか一方が所定形式でなければ使用不可と判定する）。さらに、テストデータをカードＲ／Ｗ２７のカードに記録して読み取る指示をカードＲ／Ｗ制御部２９に送り、カードＲ／Ｗ制御部２９から返信されたデータ（即ち一旦カードに記録された後に読み取られたデータ）が、テストデータと合致するか否かによって判定する（テストデータと同一であれば使用可，同一でなければ使用不可と判定する）。なお、テストデータはカードから読み取られた後、消去される。
【００７３】
ここで、判定手段として機能するユニット制御部２２は、記録情報処理部により記録情報が再度読み取られたことに基づいて、判定を再度行う（入金時判定）ものである。ここでは、図７のＳ１０７に示すように、カードＲ／Ｗ制御部２９から、入金時読取で読み取られた記録情報（カード残額，一般カードＩＤ）を受けて、カードＲ／Ｗ２７のカードが使用可能であるか否かを判定する（この判定を「入金時判定」と呼ぶ）。具体的な判定方法は、供給時判定と同様である。
【００７４】
なお、ユニット制御部２２は、外部から挿入された一般カード５をカードＲ／Ｗ２７により受け付けたときに、挿入時読取によって読み取られた記録情報（カード残額，一般カードＩＤ）を受けて、図１０のＳ５０８に示すように、カードＲ／Ｗ２７のカードが使用可能であるか否かを判定する（この判定を「挿入時判定」と呼ぶ）。具体的な判定方法は、供給時判定と同様である。
【００７５】
またユニット制御部２２は使用禁止処理手段の一例であって、判定手段（ユニット制御部２２）により使用可能でないと判定されたことを条件として、記録情報処理部（カードＲ／Ｗ２７）にある記録媒体（一般カード５）の残有価価値特定処理への使用を禁止するための使用禁止処理（排出通知）を行うものである。具体的には、供給時判定により使用不可と判定されたとき、又は入金時判定により使用不可と判定されたときに、カードＲ／Ｗ制御部２９に対して排出通知を送る。排出通知を受けたカードＲ／Ｗ制御部２９は、カードＲ／Ｗ２７のカードを排出する。つまり、エラーが発生しているカードを排出することで、該カードの残有価価値特定処理への使用（該カードへの入金金額の記録や、一般カードＩＤ及び入金金額の送信）を禁止するものである。なお、このカード排出処理と共に、前述した多機能ランプ２６によるエラー報知（Ｓ７２０，Ｓ１２０）が行われる。
【００７６】
なお、ユニット制御部２２は、挿入時判定（図１０のＳ５０８）により使用不可と判定されたときにも、同様に、カードＲ／Ｗ制御部２９に対して排出通知を送る。そして、カード排出処理が行われると共に前述した多機能ランプ２６によるエラー報知（Ｓ５２０）が行われる。
【００７７】
ここで、使用禁止処理手段として機能するユニット制御部２２は、後述する判定結果送信手段（ユニット用通信部６１ａ）から受信した判定結果が使用可能でない旨を示すことを条件として、記録情報処理部（カードＲ／Ｗ２７）にある記録媒体（一般カード５）の残有価価値特定処理への使用を禁止するための使用禁止処理（入金禁止）を行うものである。具体的には、後述するシステムコントローラ６０において実施される供給時使用判定（図１３のＳ８００）により使用不可と判定されたとき、又は入金時使用判定（図８のＳ２０１）により使用不可と判定されたときに、入金を禁止する（入金不可とする）。つまり、入金を禁止することでエラーが発生しているカードの残有価価値特定処理への使用（該カードへの入金金額の記録や、一般カードＩＤ及び入金金額の送信）を禁止するものである。なお、この入金禁止と共に、前述した多機能ランプ２６によるエラー報知（Ｓ９２０，Ｓ３２０）が行われ、さらに、ユニット制御部２２がカードＲ／Ｗ制御部２９に対して排出禁止通知を送る。排出禁止通知を受けたカードＲ／Ｗ制御部２９は、カードＲ／Ｗ２７のカードの排出処理を禁止する。即ち、カード返却ボタン１６が操作されても該操作を無効とし、カードが排出されないようにする。この排出処理の禁止状態は、店員による所定の解除操作（例えばリモートコントローラによる指示）によって解除され、カードＲ／Ｗ２７のカードが回収される。この解除の際に、入金が禁止されている状態であれば入金禁止が解除されて入金が可能となる。
【００７８】
なお、ユニット制御部２２は、後述する挿入時使用判定（図１１のＳ６００）により使用不可と判定されたときに、使用不可である旨を示す使用判定結果通知を受けて（Ｓ６１１）、入金を禁止する（入金不可とする）。そして、多機能ランプ２６によってエラー報知を行うと共に、カードＲ／Ｗ制御部２９に対して排出禁止通知を送る。
【００７９】
ここで、使用禁止処理手段として機能するユニット制御部２２は、図１２のＳ７２０〜Ｓ７２２又は図７のＳ１２０〜Ｓ１２２に示すように、供給時判定又は入金時判定によって、使用不可と判定されたときには、カードを排出することとしている。つまり、供給時判定や入金時判定でカードが使用不可と判定される場合、該カードはカードユニット２０内でエラー要因が生じた（例えば収納処理や供給処理の途中で破損したり、記録エラーや読み取りエラーが生じた）と考えられる。このようなエラーは不正に起因する可能性が低いので、排出して次のカードを供給して使用させるようにした方が遊技機の稼働低下を招くこともない為、排出処理を行っている。一方、図１３のＳ９２０〜Ｓ９２２又は図８のＳ３２０〜Ｓ３２２に示すように、供給時使用判定又は入金時使用判定によって、使用不可と判定されたときには、カードを排出せずに、排出処理を禁止するようにしている。つまり、供給時使用判定や入金時使用判定でカードが使用不可と判定される場合、該カードに記録されている一般カードＩＤと同一の一般カードＩＤが記録された他のカードが既に使用されていることを示すので、当該カードは不正なものであるおそれがあり、遊技場にとっては、回収してチェックする方が望ましいので、排出処理を禁止している。
【００８０】
さらにユニット制御部２２は異常処理手段の一例であって、後述する異常処理通知手段（ユニット用通信部６１ａ）から異常処理通知を受信したことに基づいて、所定の異常処理を行うものである。具体的には、図１３のＳ８２０ａに示すように、システムコントローラ６０における供給時使用判定によって、使用不可であると判定されたときに異常処理通知を受け（Ｓ８５１）、入金を禁止して（入金不可とし）、カード玉貸可能状態を解除することで玉貸処理（カード玉貸処理）を禁止する。さらに、多機能ランプ２６によってエラー報知を行うと共に、カードＲ／Ｗ制御部２９に対して排出禁止通知を送る。また、図８のＳ２２０ａに示すように、システムコントローラ６０における入金時使用判定によって、使用不可であると判定されたときに異常処理通知を受け（Ｓ３５１）、入金を禁止して（入金不可とし）、カード玉貸可能状態を解除することで玉貸処理（カード玉貸処理）を禁止する。さらに、多機能ランプ２６によってエラー報知を行うと共に、カードＲ／Ｗ制御部２９に対して排出禁止通知を送る。
【００８１】
なお、ユニット制御部２２は、後述する挿入時使用判定（図１１のＳ６００）によって、使用不可であると判定されたときに異常処理通知を受け（Ｓ６５１）、入金を禁止して（入金不可とし）、カード玉貸可能状態を解除することで玉貸処理（カード玉貸処理）を禁止する。さらに、多機能ランプ２６によってエラー報知を行うと共に、カードＲ／Ｗ制御部２９に対して排出禁止通知を送る。
【００８２】
次に、カード玉貸処理における制御状況を図４に基づき説明する。前記パチンコ機１０の払出制御基板１２は、前記カードユニット２０のユニット制御部２２（即ち玉貸通信部２１ｂ）と接続されて通信が可能な状態であるとスタンバイ状態となり、前記ＰＲＤＹをＬｏｗとする（Ｓ１）。
【００８３】
このようにＰＲＤＹがＬｏｗである状態において、ユニット制御部２２がパチンコ玉の払出を払出制御基板１２に指示するにあたり、ＢＲＤＹをＬｏｗとし（Ｓ２）、この状態において、更にＢＲＱをＬｏｗとする（Ｓ３）。
【００８４】
次いで、前記払出制御基板１２は、前記ＢＲＤＹのＬｏｗを検出した状態においてＢＲＱのＬｏｗを検出すると、パチンコ玉の払出が可能であるか確認し、可能である場合には、前記ＥＸＳをＬｏｗとする（Ｓ４）。
【００８５】
該ＥＸＳのＬｏｗを検出したユニット制御部２２は、前記ＢＲＱをＨｉｇｈとし（Ｓ５）、該ＢＲＱのＨｉｇｈを検出した払出制御基板１２は、玉払出装置１３に玉払出信号を出力し、これに基づき１度数に該当するパチンコ玉数（例えば消費税を考慮しないのであれば２５個、消費税を考慮するのであれば消費税率に応じて２４個，２３個…等の、具体的な玉数であり、予めシステムコントローラ６０等により設定され、カードユニット２０に配信されている）の払出が実施されるとともに、該払出の終了に基づき、前記ＥＸＳをＨｉｇｈとする（Ｓ６）。  
【００８６】
該ＥＸＳのＨｉｇｈを検出したユニット制御部２２は、使用金額（１度数に相当する金額であり、ここでは１００円）をカードＲ／Ｗ制御部２９に通知すると共に、前記残度数表示器１４に表示されている残度数から１度を減算して表示更新する。なお、カードＲ／Ｗ制御部２９では、現在のカード残額−使用金額を、新たなカード残額として記録する。
【００８７】
これら（Ｓ３）〜（Ｓ６）の信号制御並びに減算更新は、ユニット制御部２２から払出制御基板１２に対して指示される度数分繰返し実施され、これら制御が終了した後、ＢＲＤＹをＨｉｇｈとして（Ｓ７）、貸与処理を終了する。
【００８８】
このようにカードユニット２０のユニット制御部２２から出力されるＢＲＱのＨｉｇｈの検出回数に基づき、前記払出制御基板１２は指示された度数に該当する数量のパチンコ玉の払出を実施するようになっている。
【００８９】
なお、本実施例においては、前記Ｓ６が終了した段階で１度数分の金額をカード残額から減算するようにしているが、前記Ｓ３〜Ｓ６の処理をユニット制御部２２の指示度数分（例えば５度分の貸出であれば５回）繰返し実施した後、すなわち、貸出度数分のパチンコ玉が払い出された後、該貸し出された度数（例えば５度分の貸出であれば５度）分の金額を減算するようにしても良い。残度数の表示更新についても同様である。
【００９０】
パチンコ機１０において、玉払出装置１３から払い出されたパチンコ玉は、上皿に供給され、発射ハンドルの操作により遊技領域の内部に打ち込まれて、遊技が行われる。そして該打ち込まれたパチンコ玉が、遊技領域に形成された入賞口に入賞すると、払出制御基板１２から発せられる払出信号に基づいて、賞球として玉払出装置１３からパチンコ玉が払い出されて、上皿又は下皿に供給される。
【００９１】
次に、システムコントローラ６０について説明する。システムコントローラ６０は管理装置の一例であって、遊技用装置であるカードユニット２０と通信可能であり、遊技場内の所定箇所（例えば管理事務所等）に設けられるものであり、図２に示すように接続されるユニット用通信部６１ａ，場外通信部６１ｃ，精算装置用通信部６１ｄ，制御部６２，ハードディスク６３，ディスプレイ６４，及び入力装置６５等を備えている。
【００９２】
ユニット用通信部６１ａは、前述の如くカードユニット２０のシステムコントローラ用通信部２９ａと通信可能に接続されており、システムコントローラ６０とカードユニット２０との間における通信を司るものである。
【００９３】
このユニット用通信部６１ａは判定結果送信手段の一例であって、後述する使用判定手段（制御部６２）の判定による判定結果（使用判定結果）を、記録情報（一般カードＩＤ）の送信元である遊技用装置（カードユニット２０）に対して送信するものである。具体的には、図１３のＳ８１１，Ｓ８２０に示すように、システムコントローラ６０における供給時使用判定（Ｓ８００）による判定結果を、図１２のＳ７１１の供給時送信を行ったカードユニット２０に対して送信する。また、図８のＳ２１２，Ｓ２２０に示すように、システムコントローラ６０における入金時使用判定（Ｓ２０１）による判定結果を、図７のＳ１１１の入金時送信を行ったカードユニット２０に対して送信する。
【００９４】
なお、ユニット用通信部６１ａは、図１１のＳ６１０に示すように、システムコントローラ６０における挿入時使用判定（Ｓ６００）による判定結果を、図１０のＳ５１１の貸与許諾要求を送信したカードユニット２０に対して送信する。但し、ここでは判定結果が使用不可である場合にのみ該判定結果が送信され、使用可である場合にはＳ６０２のカード残額照合が実施されて、貸与許諾情報（Ｓ６２０）又は貸与不可情報（Ｓ６３０）が送信される。
【００９５】
ここで、ユニット用通信部６１ａは、制御部６２によるＳ６０２の照合において、〔受信したカード残額≦受信した一般カードＩＤに対応付けて一般カードＤＢに記憶している残額〕と判定されたことを条件として、カード玉貸処理を許諾する旨を示す貸与許諾情報を前記貸与許諾要求の送信元のカードユニット２０に送信する。なお、カードユニット２０とシステムコントローラ６０との間の通信状態がオフラインであるときに、カードユニット２０にてカード残額が使用されると、〔受信したカード残額＜受信した一般カードＩＤに対応付けて一般カードＤＢに記憶しているカード残額〕となる場合があり、必ずしも、〔受信したカード残額＝受信した一般カードＩＤに対応付けて一般カードＤＢに記憶しているカード残額〕とはならないので、上記の判定条件としている。
【００９６】
またユニット用通信部６１ａは異常処理通知手段の一例であって、後述する使用判定手段（制御部６２）による判定（供給時使用判定，入金時使用判定）のときに、記録情報送信手段（システムコントローラ用通信部２９ａ）から受信した記録媒体識別情報（一般カードＩＤ）が、該記録媒体識別情報と共に受信した遊技用装置識別情報（装置ＩＤ）とは異なる遊技用装置識別情報と対応付けて後述する情報管理手段（カードユニットＤＢ）で管理されていることを条件として、当該異なる遊技用装置識別情報から特定される遊技用装置に対して、所定の異常処理（エラー報知，排出禁止通知）を行う旨を示す異常処理通知を送信するものである。具体的には、図１３のＳ８２０ａ，図８のＳ２２０ａに示すように、供給時使用判定により使用不可であると判定されたとき，又は入金時使用判定により使用不可であると判定されたときに、異常処理（ここではエラー報知及び排出禁止通知）を行う旨を示す異常処理通知を、受信した一般カードＩＤと対応付けて現在カードユニットＤＢに記憶されている装置ＩＤのカードユニット２０（即ち、供給時使用処理判定，入金時使用処理判定における異なる装置ＩＤのカードユニット２０）に対して送信する。
【００９７】
さらにユニット用通信部６１ａは、図１１のＳ６１０ａに示すように、挿入時使用判定により使用不可であると判定されたときに、異常処理（ここではエラー報知及び排出禁止通知）を行う旨の異常処理通知を、受信した一般カードＩＤと対応付けて現在カードユニットＤＢに記憶されている装置ＩＤのカードユニット２０に対して送信する。
【００９８】
場外通信部６１ｃは、電話回線を通じて遊技場外の通信機器とのデータ通信を可能とするためのデジタルサービスユニット（ＤＳＵ）等を備え、カード会社に設けられた管理サーバ９０と通信可能に接続されており、システムコントローラ６０と管理サーバ９０との間における通信を司るものである。
【００９９】
精算装置用通信部６１ｄは、精算装置８０の通信部８１１と通信可能に接続されており、システムコントローラ６０と精算装置８０との間における通信を司るものである。
【０１００】
この精算装置用通信部６１ｄは、システムコントローラ６０が精算許諾要求を受信したときに、制御部６２により、〔精算許諾要求に含まれるカード残額≦該精算許諾要求に含まれる一般カードＩＤに対応付けて一般カードＤＢで記憶されているカード残額〕と判定されたことを条件として、精算を許諾する旨を示す精算許諾情報を前記精算許諾要求の送信元である精算装置８０に対して送信する。なお、カードユニット２０とシステムコントローラ６０との間の通信状態がオフラインであるときに、カードユニット２０にてカード残額が使用されると、〔精算許諾要求に含まれるカード残額＜該精算許諾要求に含まれる一般カードＩＤに対応付けて一般カードＤＢで記憶されているカード残額〕となる場合があり、必ずしも、精算許諾要求に含まれるカード残額＝該精算許諾要求に含まれる一般カードＩＤに対応付けて一般カードＤＢで記憶されているカード残額〕とはならないので、上記の判定条件としている。
【０１０１】
制御部６２は、ＣＰＵ，ＲＡＭ，ＲＯＭ等を備えており、ハードディスク６３に記憶されている処理プログラムがＲＡＭを作業領域としてＣＰＵで実行されることにより、システムコントローラ６０に備えられる各構成要素の動作を制御して各種の処理を行うものであり、例えば、上述したカードユニット２０，精算装置８０から送信されてきたカード残額の照合を行うものである。
【０１０２】
この制御部６２は使用判定手段の一例であって、記録情報送信手段（システムコントローラ用通信部２９ａ）から受信した記録情報（一般カードＩＤ）に基づいて、該記録情報が記録されている記録媒体（一般カード５）が使用可能であるか否かを判定するものであり、ここでは、記録情報送信手段から受信した記録媒体識別情報（一般カードＩＤ）が、該記録媒体識別情報と共に受信した遊技用装置識別情報（装置ＩＤ）とは異なる遊技用装置識別情報と対応付けて後述する情報管理手段（カードユニットＤＢ）で管理されていることを条件として、使用可能でないと判定する。具体的には、図１３のＳ８００に示すように、カードユニット２０から供給時送信によって送信されてきた一般カードＩＤ及び装置ＩＤを受信すると、該一般カードＩＤの一般カード５が使用可能であるか否かを判定する（この判定を「供給時使用判定」と呼ぶ）ものであり、ここでは、受信した一般カードＩＤが該一般カードＩＤと共に受信した装置ＩＤとは異なる装置ＩＤ（別装置ＩＤと呼ぶ）に対応付けて、後述するカードユニットＤＢに記憶されているか否かの判定が行われる（記憶されていなければ使用可，記憶されていれば使用不可と判定する）。
【０１０３】
ここで、使用判定手段として機能する制御部６２は、記録情報送信手段から記録情報を再度受信したことに基づいて、判定を再度行う（入金時使用判定）ものである。具体的には、図８のＳ２０１に示すように、カードユニット２０から入金時送信によって送信されてきた一般カードＩＤ及び装置ＩＤを受信すると、該一般カードＩＤの一般カード５が使用可能であるか否かを判定する（この判定を「入金時使用判定」と呼ぶ）ものであり、供給時使用判定と同様の判定が行われる。
【０１０４】
なお、制御部６２は、図１１のＳ６００に示すように、カードユニット２０から送信されてきた貸与許諾要求及び装置ＩＤを受信すると、該貸与許諾要求に含まれる一般カードＩＤの一般カード５が使用可能であるか否かを判定する（この判定を「挿入時使用判定」と呼ぶ）ものであり、供給時使用判定と同様の判定が行われる。
【０１０５】
さらに制御部６２は消去手段の一例であって、消去通知送信手段（システムコントローラ用通信部２９ａ）から消去通知を受信したことに基づいて、当該消去通知と共に受信した遊技用装置識別情報（装置ＩＤ）と対応付けて情報管理手段（カードユニットＤＢ）で管理されている記録媒体識別情報を消去するものであり、具体的には、図１３のＳ９１２に示すように、カードユニット２０から消去通知及び装置ＩＤを受信したときに、カードユニットＤＢにおいて、該受信した装置ＩＤに対応付けて記憶されている一般カードＩＤを消去する。
【０１０６】
記憶装置であるハードディスク６３は、図５（ａ）に示す一般カードＤＢを記憶している。この一般カードＤＢでは、一般カードＩＤに対応付けて、カード残額を管理している。従って、システムコントローラ６０では、カードユニット２０から、カード受付時に一般カードＩＤ及びカード残額を受信することで、受信したカード残額と、管理しているカード残額との照合を実施することができる。そして、照合がＮＧの場合にはカードの使用を許可しないことで、遊技場の損失を極力防止することができる。
【０１０７】
またハードディスク６３は、図５（ｂ）に示すカードユニットＤＢを記憶している。このカードユニットＤＢは情報管理手段の一例であって、複数の遊技用装置（カードユニット２０）の各遊技用装置識別情報（装置ＩＤ）と対応付けて、当該遊技用装置が有する記録情報処理部（カードＲ／Ｗ２７）にある記録媒体（一般カード５）の記録媒体識別情報（一般カードＩＤ）を管理するものである。具体的には、システムコントローラ６０と通信可能な各カードユニット２０の装置ＩＤが記憶され、その各々と対応付けて、各カードユニット２０のカードＲ／Ｗ２７にある一般カード５に記録されている一般カードＩＤが記憶されている。
【０１０８】
このカードユニットＤＢは以下のようにして更新される。まず、カードユニット２０において貨幣の入金が行われると、入金時送信によって、入金金額，一般カードＩＤ，及び装置ＩＤがシステムコントローラ６０に送信される（図７のＳ１１１）。そして、一般カードＩＤと対応付けて一般カードＤＢに記憶されている現カード残額が零であり（つまり、カード残額が零の状態での新規入金であり）、入金時使用判定によって使用可であると判定された場合に、カードユニットＤＢにおいて、受信した装置ＩＤに対応付けて、該装置ＩＤと共に受信した一般カードＩＤを記憶する（図８のＳ２１０）。また、カードユニット２０に一般カード５が挿入されたときにも、受信した貸与許諾要求に含まれる装置ＩＤに対応付けて、該装置ＩＤと共に受信した一般カードＩＤを記憶する（図１１のＳ６０１）。さらに、カードユニット２０で供給処理（供給時読取，供給時送信）が行われたときにも、受信した装置ＩＤに対応付けて、該装置ＩＤと共に受信した一般カードＩＤを記憶する（図１３のＳ８１０）。なお、Ｓ８１０では、以前の一般カードＩＤ（即ち排出されたカードの一般カードＩＤ）を消去してから受信した一般カードＩＤを記憶する。そして、図９のＳ４１８に示すように、カード玉貸処理の結果、カード残額が零となった場合にはカードが留保され、カードユニット２０から消去通知及び装置ＩＤがシステムコントローラ６０に送信され、カードユニットＤＢにおいて、受信した装置ＩＤに対応付けて記憶されている一般カードＩＤが消去される。また、図１３のＳ９１１に示すように、供給時使用判定において、使用可と判定された場合には、消去通知及び装置ＩＤがシステムコントローラ６０に送信され、カードユニットＤＢにおいて、受信した装置ＩＤに対応付けて記憶されている一般カードＩＤが消去される。
【０１０９】
ディスプレイ６４は、各種の情報を表示するための表示デバイスであり、例えば液晶ディスプレイである。入力装置６５はシステムコントローラ６０に各種の情報を入力するためのデバイスであり、例えばキーボードやマウスである。
【０１１０】
次に精算装置８０について説明する。この精算装置８０は、遊技場内の所定箇所（例えば遊技島の端部や景品交換カウンタの近傍等）に設けられ、図６（ａ）に示すように、キオスク端末型の形状を呈するものであり、その前面にカード挿入口８３ａ，紙幣払出口８５ａ，硬貨払出口８６ａ，及びディスプレイ８４等を備え、図２に示すように、その内部に通信部８１，制御部８２，カードＲ／Ｗ８３，紙幣払出機８５，及び硬貨払出機８６等を備えており、これらの各構成要素は図２に示すように接続されている。
【０１１１】
通信部８１は、システムコントローラ６０の精算装置用通信部６１ｄと通信可能に接続されており、精算装置８０とシステムコントローラ６０との間における通信を司るものである。この通信部８１は、精算装置８０が一般カード５を受け付けたときに、該一般カード５から読み取られた一般カードＩＤとカード残額とを含む精算許諾要求をシステムコントローラ６０に対して送信する。
【０１１２】
制御部８２は、ＣＰＵ，ＲＡＭ，ＲＯＭ等を備えており、ＲＯＭに記憶されている処理プログラムがＲＡＭを作業領域としてＣＰＵで実行されることにより、精算装置８０に備えられる各構成要素の動作を制御して各種の処理を行うものである。
【０１１３】
カードＲ／Ｗ８３は、カード挿入口８３ａから一般カード５を受け付けて、該一般カード５に記録された一般カードＩＤ及びカード残額を読み取ると共に、該受け付けた一般カード５からカード残額を消去するものであり、ここでは前記ＩＣカードである一般カード５に対応したＩＣカードＲ／Ｗを備えている。
【０１１４】
カード回収部８３ｂは、カードＲ／Ｗ８３により受け付けている一般カード５からカード残額が消去されたときに、該受け付けている一般カード５を回収するものであり、具体的には、該受け付けている一般カード５を精算装置８０の背面方向に搬送してカード回収部８３ｂの内部に回収（収納）する。このカード回収部８３ｂは、複数枚の一般カード５を回収可能である。
【０１１５】
ディスプレイ８４は、図６（ｂ）に示すように、各種の情報を表示するための表示デバイスである。このディスプレイ８４では、一般カード５を受付可能なときに、Ｄ１に示すように、カードの挿入を促す旨が表示される。また後述する貨幣を返却するときに、Ｄ２に示すように、残額を返却する旨，及びカードを回収する旨が表示される。なおシステムコントローラ６０から精算不可情報を受信したときには、Ｄ３に示すように、カードに異常がある旨が表示される。
【０１１６】
紙幣払出機８５及び硬貨払出機８６は、システムコントローラ６０から精算許諾情報が返信されてきたことを条件として、カード残額に相当する金額の貨幣を遊技者に返却するものであり、具体的には、紙幣払出機８５の背後に設けられる紙幣収納部８５ｂから所定数の紙幣２を取り出して紙幣払出口８５ａから払い出すと共に、硬貨払出機８６の上部に設けられる硬貨収納部８６ｂから所定数の硬貨３を取り出して硬貨払出口８６ａから払い出す。
【０１１７】
管理サーバ９０は、遊技場外（例えば一般カード５を発行するカード会社）に設けられ、前記システムコントローラ６０の場外通信部６１ｃと、通信回線を介して双方向のデータ通信を実施できるように接続されている。この管理サーバではシステムコントローラ６０との通信によって一般カードＩＤ毎に入金金額，使用額，カード残額を記憶しており、一般カード５による売上を把握可能である。また、システムコントローラ６０並びにカードユニット２０のエラー状況等を把握できるようになっている。
【０１１８】
以上に説明した遊技用システム１の作用について図７〜図１４を用いて説明する。まず、図７及び図８を用いて、貨幣をカードユニット２０に入金する際の処理について説明する。
【０１１９】
図７に示すように、遊技者が紙幣２又は硬貨３をカードユニット２０に入金すると（Ｓ１００）、該入金を検出したユニット制御部２２において入金不可の状態であるか否かの判定が実施される（Ｓ１０１）。Ｓ１０１の判定で入金不可の状態であると判定されたときには（Ｙ）、入金された紙幣２又は硬貨３が紙幣挿入口２３ａ又は硬貨返却口２４ｆから排出される（Ｓ１０２ａ）。一方、Ｓ１０１の判定で入金不可の状態でないと判定されると（Ｎ）、入金された紙幣２又は硬貨３が紙幣識別機２３又は硬貨識別機２４にて受け付けられ、貨幣が識別される（Ｓ１０２）。
【０１２０】
次いで、ユニット制御部２２はＳ１０２の識別結果としての入金金額をカードＲ／Ｗ制御部２９に通知し（Ｓ１０３）、カードＲ／Ｗ制御部２９は、カードの前方挿入を禁止（既に禁止されている場合には該禁止状態を継続）する（Ｓ１０４）。次いで、カードＲ／Ｗ２７の一般カード５に記録されている記録情報（カード残額，一般カードＩＤ）を読み取り（Ｓ１０５：入金時読取）、該読み取った記録情報をユニット制御部２２に通知する（Ｓ１０６）。記録情報の通知を受けたユニット制御部２２は、カードＲ／Ｗ２７のカードが使用可能であるか否かを判定する（Ｓ１０７：入金時判定）。Ｓ１０７の入金時判定によって、使用可能であると判定されたときには（Ｙ）、カードが使用可能である旨の使用可能通知をカードＲ／Ｗ制御部２９に送り（Ｓ１１０）、該使用可能通知を受けたカードＲ／Ｗ制御部２９は、Ｓ１０３で通知された入金金額及びＳ１０５で読み取った一般カードＩＤを、装置ＩＤと共にシステムコントローラ６０に送信する（Ｓ１１１：入金時送信）。一方、Ｓ１０７の入金時判定によって、使用可能でないと判定されたときには（Ｎ）、多機能ランプ２６によるエラー報知を行う（Ｓ１２０）と共に、排出通知をカードＲ／Ｗ制御部２９に送り（Ｓ１２１）、排出通知を受けたカードＲ／Ｗ制御部２９は、カードＲ／Ｗ２７のカードを排出する（Ｓ１２２）。
【０１２１】
このように、貨幣を受け付けたときに、一般カード５の記録情報を読み取る入金時読取（Ｓ１０５）を行うと共に、該一般カード５が使用可能であるか否かの入金時判定（Ｓ１０７）を行う。その結果、使用不可のカードは排出されるので、供給時判定（図１２のＳ７０９）から入金時読取の間，又は前回の入金時判定から入金時読取の間に、一般カード５が使用不可となるような事態が発生した場合に、該使用不可となったカードについては、残有価価値特定処理（Ｓ１１１の入金時送信及び後述するＳ３１１のカード残額記録）が行われるおそれが無くなる。
【０１２２】
次に、Ｓ１１１の入金時送信を受信したシステムコントローラ６０の作用について説明する。図８に示すように、Ｓ１１１の入金時送信を受信したシステムコントローラ６０は、一般カードＤＢを参照して、受信した一般カードＩＤと対応付けて記憶しているカード残額が零であるか否かの判定を実施する（Ｓ２００）。Ｓ２００で、零でない（つまりカード残額が零でない状態での追加入金である）と判定されたときには（Ｎ）、後述するＳ２１１以降の処理が実施される。一方、Ｓ２００で、零である（つまりカード残額が零の状態での新規入金である）と判定されたときには（Ｙ）、受信した一般カードＩＤのカードが使用可能であるか否かの入金時使用判定が実施される（Ｓ２０１）。該Ｓ２０１は、受信した一般カードＩＤが、該一般カードＩＤと共に受信した装置ＩＤとは異なる装置ＩＤ（別装置ＩＤ）と対応付けてカードユニットＤＢに記憶されているか否かの判定である（記憶されていないときに使用可能であると判定し、記憶されているときに使用可能でないと判定する）。Ｓ２０１で使用可能であると判定されたときには、カードユニットＤＢにおいて、受信した装置ＩＤに対応付けて、該装置ＩＤと共に受信した一般カードＩＤを記憶する（Ｓ２１０）。次いで、一般カードＤＢにおいて、受信した一般カードＩＤに対応付けて記憶されているカード残額に、受信した入金金額を加算して更新する（Ｓ２１１）。次いで、受信した装置ＩＤのカードユニット２０に対して、受信した一般カードＩＤのカードが使用可能である旨を示す使用判定結果を送信する（Ｓ２１２）。一方、Ｓ２０１で使用可能でないと判定されたときには、受信した装置ＩＤのカードユニット２０に対して、受信した一般カードＩＤのカードが使用可能でない旨を示す使用判定結果を送信する（Ｓ２２０）。さらに、前記別装置ＩＤのカードユニット２０に対しては、所定の異常処理を実施する旨の異常処理通知を送信する（Ｓ２２０ａ）。
【０１２３】
Ｓ２１２（使用可）又はＳ２２０（使用不可）の使用判定結果をカードＲ／Ｗ制御部２９が受信すると（Ｓ３００）、該使用判定結果をユニット制御部２２に通知する（Ｓ３０１）。ユニット制御部２２は、Ｓ３０１で通知された使用判定結果が使用可能である旨を示すか否かの判定を実施する（Ｓ３０２）。Ｓ３０２の判定で、使用可能である旨を示すと判定されたときには（Ｙ）、カードＲ／Ｗ２７のカードの使用を許諾する旨の使用許諾通知をカードＲ／Ｗ制御部２９に送り（Ｓ３１０）、使用許諾通知を受けたカードＲ／Ｗ制御部２９では、〔現在のカード残額＋入金金額〕を、新たなカード残額としてカードＲ／Ｗ２７の一般カード５に記録し（Ｓ３１１）、該新たなカード残額をユニット制御部２２に通知する（Ｓ３１２）。Ｓ３１２でカード残額の通知を受けたユニット制御部２２では、該新たなカード残額に相当する残度数を残度数表示器１４に表示すると共に、カード玉貸可能状態となる（Ｓ３１３）。なお、Ｓ３１３で既にカード玉貸可能状態となっているとき（つまり残額有りの一般カード５に追加入金されたとき）には、該カード玉貸可能状態が継続する。一方、Ｓ３０２の判定で、使用可能である旨を示さない（即ち使用不可能である旨を示す）と判定されたときには（Ｎ）、ユニット制御部２２が、入金を禁止して、多機能ランプ２６によってエラー報知を行う（Ｓ３２０）と共に、排出を禁止する旨を示す排出禁止通知をカードＲ／Ｗ制御部２９に送る（Ｓ３２１）。排出禁止通知を受けたカードＲ／Ｗ制御部２９では、カードの排出処理を禁止する（Ｓ３２２）。即ちカード返却ボタン１６が操作されてもカードを排出しない。
【０１２４】
このように、カードユニット２０が貨幣を受け付けたときに、システムコントローラ６０において、受信した一般カードＩＤのカードが使用可能であるか否かの入金時使用判定（Ｓ２０１）を行う。その結果、カードユニット２０では、入金が禁止され、使用不可のカードは、エラー報知がされているカードユニット２０を発見した店員により所定の解除操作が行われて回収されるので、供給時判定（図１２のＳ７０９）から入金時読取の間に、一般カード５が使用不可となるような事態が発生した場合に、該使用不可となったカードについては、残有価価値特定処理（Ｓ１１１の入金時送信及び後述するＳ３１１のカード残額記録）が行われるおそれが無くなる。
【０１２５】
また、入金時使用判定において、システムコントローラ６０がＳ１１１で受信した一般カードＩＤが、該一般カードＩＤと共に受信した装置ＩＤとは異なる装置ＩＤと対応付けて管理されていることを条件として、使用可能でないと判定されるので、他と同一の一般カードＩＤが不正に記録されたおそれのあるカードの使用を防止することができる。
【０１２６】
一方で、前述したＳ２２０ａの異常処理通知を前記別装置ＩＤのカードユニット２０が受信すると（Ｓ３５０）、異常処理通知をユニット制御部２２に送り（Ｓ３５１）、該異常処理通知を受けたユニット制御部２２が、入金禁止及び玉貸禁止を行い、多機能ランプ２６によるエラー報知を行う（Ｓ３５２）と共に、排出禁止通知をカードＲ／Ｗ制御部２９に送る（Ｓ３５３）。排出禁止通知を受けたカードＲ／Ｗ制御部２９では、カードの排出処理を禁止する（Ｓ３５４）。
【０１２７】
このように、システムコントローラ６０がＳ１１１で受信した一般カードＩＤが、該一般カードＩＤと共に受信した装置ＩＤとは異なる装置ＩＤと対応付けて管理されていることを条件として、当該異なる装置ＩＤ（別装置ＩＤ）のカードユニット２０において異常処理（入金禁止，玉貸禁止，エラー報知，排出禁止通知）が行われるので、他と同一の一般カードＩＤが不正に記録されたおそれのあるカードが既に使用されている場合に、該使用中のカードに対する処置が可能となる。ここでは、別装置ＩＤのカードユニット２０で使用されているカード（ここでは他と同一の一般カードＩＤが不正に記録されたおそれのあるカード）は排出されずにカードＲ／Ｗ２７部に滞留し、遊技場の店員による所定の解除操作を受けて回収され、チェックされるので、他の一般カード５に記録されている一般カードＩＤと同一の一般カードＩＤが不正に記録されたおそれのあるカードの使用による遊技場の被害を低減させることができる。
【０１２８】
次に、図９を用いて、玉貸ボタン１５が操作された際の処理について説明する。
【０１２９】
玉貸ボタン１５の操作が検出されると（Ｓ４００）、カード玉貸可能状態であるか否かの判定が実施され（Ｓ４０１）、カード玉貸可能状態であると判定された場合には（Ｙ）、Ｓ４１０のカード玉貸処理が行われる。一方、Ｓ４０１の判定で、カード玉貸可能状態でないと判定された場合には（Ｎ）、処理が終了する（Ｓ４０２）。
【０１３０】
カード玉貸処理に伴う処理について説明する。図４で説明したようにして、カード玉貸処理が行われると（Ｓ４１０）、今回の玉貸処理で使用された使用金額（ここではユニット制御部２２から払出制御基板１２に指示した度数分の金額であり、例えば玉貸設定金額分の５００円）と、一般カード５から読み取られた一般カードＩＤを当該装置ＩＤと共にシステムコントローラ６０に対して送信する（Ｓ４１１）。
【０１３１】
Ｓ４１１で送信された一般カードＩＤと使用金額を受信したシステムコントローラ６０においては、受信した一般カードＩＤに対応付けて一般カードＤＢに記憶しているカード残額から受信した使用金額を減算し（Ｓ４１２）、減算完了に伴う減算完了通知を前記装置ＩＤの送信元であるカードユニット２０に送信する（Ｓ４１３）。該減算完了通知を受信したカードＲ／Ｗ制御部２９は、カード残額（使用金額が減算された後のカード残額）をユニット制御部２２に通知する（Ｓ４１４）。ユニット制御部２２は、通知されたカード残額が零であるか否かの判定を実施する（Ｓ４１５）。Ｓ４１５の判定で、カード残額が零であると判定されたときは（Ｙ）、カード玉貸可能状態を解除して（Ｓ４１６）、カードを留保する旨を示す留保通知をカードＲ／Ｗ制御部２９に送る（Ｓ４１７）。留保通知を受けたカードＲ／Ｗ制御部２９は、カードＲ／Ｗ２７で受け付けているカード（つまり、カード残額が零の一般カード５）をカードＲ／Ｗ２７部で留保（Ｓ４１８）すると共に、消去通知及び装置ＩＤをシステムコントローラ６０に対して送信する（Ｓ４１９）。消去通知を受信したシステムコントローラ６０においては、該消去通知と共に受信した装置ＩＤに対応付けてカードユニットＤＢに記憶されている一般カードＩＤを消去する（Ｓ４２０）と共に、該消去が完了した旨を示す消去完了通知を、受信した装置ＩＤのカードユニット２０に対して送信する（Ｓ４２１）。消去完了通知を受信したカードＲ／Ｗ制御部２９では、カードの前方挿入禁止を解除する（Ｓ４２２）。
【０１３２】
一方、Ｓ４１５でカード残額が零でないと判定されたときには（Ｎ）、カード玉貸可能状態を継続する（Ｓ４１６ａ）。
【０１３３】
ここで、Ｓ４２０に示すように、一般カード５のカード残額が零となり、カードが留保されたときに、システムコントローラ６０が該カードユニット２０の装置ＩＤに対応する一般カードＩＤを消去しておくので、カードユニット２０に一般カード５が挿入されるときには、該カードユニット２０とシステムコントローラ６０間で前記消去を行うためのやりとり（消去通知や消去完了通知の送信）を行う必要がなく、当該挿入される一般カード５に関する処理（例えばＳ６０１に示す一般カードＩＤの記憶処理やＳ６０２に示すカード残額の照合等）を迅速に行うことができる。
【０１３４】
次に、図１０及び図１１を用いて、一般カード５（遊技者に返却された残額有りの一般カード５）がカードユニット２０に挿入される際（前方挿入時）の処理について説明する。図１０に示すように、一般カード５がカード挿入口２７ａから挿入される際、該挿入されようとしている一般カード５のカード端（カードユニット２０内に挿入されている部分）の検出がカード挿入口２７ａ付近に設けられたセンサによって行われ（Ｓ５００）、カードＲ／Ｗ制御部２９が、該検出に基づいて、カード前方挿入禁止の状態であるか否かの判定を実施する（Ｓ５０１）。Ｓ５０１の判定で、カード前方挿入禁止の状態であると判定されたときには（Ｙ）、カードの取込処理を行わずに処理を終了する（Ｓ５０２）。一方、Ｓ５０１の判定で、カード前方挿入禁止の状態でないと判定されたときには（Ｎ）、カードＲ／Ｗ２７のカード（即ち残額無しの一般カード５）をカードストッカ２８に収納する収納処理を行うと共に（Ｓ５０３）、前記挿入されようとしているカードの取込処理が実施され、取り込まれた一般カード５がカードＲ／Ｗ２７に受け付けられた状態となる（Ｓ５０４）。
【０１３５】
次いで、カードＲ／Ｗ制御部２９では、カードの前方挿入を禁止して（Ｓ５０５）、カードＲ／Ｗ２７の一般カード５に記録されている記録情報（カード残額，一般カードＩＤ）を読み取り（Ｓ５０６：挿入時読取）、該読み取った記録情報をユニット制御部２２に通知する（Ｓ５０７）。記録情報の通知を受けたユニット制御部２２は、カードＲ／Ｗ２７のカードが使用可能であるか否かを判定する（Ｓ５０８：挿入時判定）。Ｓ５０８の挿入時判定によって、使用可能であると判定されたときには（Ｙ）、カードが使用可能である旨の使用可能通知をカードＲ／Ｗ制御部２９に送り（Ｓ５１０）、該使用可能通知を受けたカードＲ／Ｗ制御部２９は、Ｓ５０６で読み取ったカード金額及び一般カードＩＤを含む貸与許諾要求を、装置ＩＤと共にシステムコントローラ６０に送信する（Ｓ５１１）。一方、Ｓ５０８の挿入時判定によって、使用可能でないと判定されたときには（Ｎ）、多機能ランプ２６によるエラー報知を行う（Ｓ５２０）と共に、排出通知をカードＲ／Ｗ制御部２９に送り（Ｓ５２１）、排出通知を受けたカードＲ／Ｗ制御部２９は、カードＲ／Ｗ２７のカードを排出する（Ｓ５２２）。
【０１３６】
次に、Ｓ５１１の貸与許諾要求を受信したシステムコントローラ６０の作用について説明する。図１１に示すように、Ｓ５１１の貸与許諾要求を受信したシステムコントローラ６０では、受信した一般カードＩＤのカードが使用可能であるか否かの挿入時使用判定が実施される（Ｓ６００）。該Ｓ６００は、受信した一般カードＩＤが、該一般カードＩＤと共に受信した装置ＩＤとは異なる装置ＩＤ（別装置ＩＤ）と対応付けてカードユニットＤＢに記憶されているか否かの判定である（記憶されていないときに使用可能であると判定し、記憶されているときに使用可能でないと判定する）。Ｓ６００で使用可能であると判定されたときには、カードユニットＤＢにおいて、受信した装置ＩＤに対応付けて、該装置ＩＤと共に受信した一般カードＩＤを記憶して（Ｓ６０１）、カード残額の照合（Ｓ６０２）を実施する。一方、Ｓ６００で使用可能でないと判定されたときには、受信した装置ＩＤのカードユニット２０に対して、受信した一般カードＩＤのカードが使用可能でない旨を示す使用判定結果を送信する（Ｓ６１０）。さらに、前記別装置ＩＤのカードユニット２０に対しては、所定の異常処理を実施する旨の異常処理通知を送信する（Ｓ６１０ａ）。
【０１３７】
Ｓ６１０（使用不可）の使用判定結果をカードＲ／Ｗ制御部２９が受信すると、該使用判定結果（使用不可）をユニット制御部２２に通知する（Ｓ６１１）。ユニット制御部２２は、Ｓ６１１で通知された使用判定結果が、使用可能である旨を示さない（即ち使用不可能である旨を示す）ことに基づいて、入金を禁止し、多機能ランプ２６によってエラー報知を行う（Ｓ６１２）と共に、排出を禁止する旨を示す排出禁止通知をカードＲ／Ｗ制御部２９に送る（Ｓ６１３）。排出禁止通知を受けたカードＲ／Ｗ制御部２９では、カードの排出処理を禁止する（Ｓ６１４）。即ちカード返却ボタン１６が操作されてもカードを排出しない。
【０１３８】
このように、挿入時使用判定において、システムコントローラ６０がＳ５１１で受信した一般カードＩＤが、該一般カードＩＤと共に受信した装置ＩＤとは異なる装置ＩＤと対応付けて管理されていることを条件として、使用可能でないと判定されるので、他と同一の一般カードＩＤが不正に記録されたおそれのあるカードの使用を防止することができる。
【０１３９】
一方で、前述したＳ６１０ａの異常処理通知を前記別装置ＩＤのカードユニット２０が受信すると（Ｓ６５０）、異常処理通知をユニット制御部２２に送り（Ｓ６５１）、該異常処理通知を受けたユニット制御部２２が、入金禁止及び玉貸禁止を行い、多機能ランプ２６によるエラー報知を行う（Ｓ６５２）と共に、排出禁止通知をカードＲ／Ｗ制御部２９に送る（Ｓ６５３）。排出禁止通知を受けたカードＲ／Ｗ制御部２９では、カードの排出処理を禁止する（Ｓ６５４）。
【０１４０】
このように、システムコントローラ６０がＳ５１１で受信した一般カードＩＤが、該一般カードＩＤと共に受信した装置ＩＤとは異なる装置ＩＤと対応付けて管理されていることを条件として、当該異なる装置ＩＤ（別装置ＩＤ）のカードユニット２０において異常処理（入金禁止，玉貸禁止，エラー報知，排出禁止通知）が行われるので、他と同一の一般カードＩＤが不正に記録されたおそれのあるカードが既に使用されている場合に、該使用中のカードに対する処置が可能となる。ここでは、別装置ＩＤのカードユニット２０で使用されているカード（ここでは他と同一の一般カードＩＤが不正に記録されたおそれのあるカード）は排出されずにカードＲ／Ｗ２７部に滞留し、遊技場の店員による所定の解除操作を受けて回収され、チェックされるので、他の一般カード５に記録されている一般カードＩＤと同一の一般カードＩＤが不正に記録されたおそれのあるカードの使用による遊技場の被害を低減させることができる。
【０１４１】
なお、システムコントローラ６０におけるＳ６０２の照合では、受信したカード残額が、同受信した一般カードＩＤに対応付けて一般カードＤＢに記憶しているカード残額以下であるか否か（受信したカード残額≦受信した一般カードＩＤに対応付けて一般カードＤＢに記憶しているカード残額？）の照合を実施する（。このＳ６０２の照合が照合ＯＫ（即ち、受信したカード残額≦受信した一般カードＩＤに対応付けて一般カードＤＢに記憶しているカード残額）であるときには、該照合ＯＫの旨を示す貸与許諾情報を前記Ｓ５１１で送信されてきた装置ＩＤのカードユニット２０に対して送信する（Ｓ６２０）。なお、カードユニット２０とシステムコントローラ６０との間の通信状態がオフラインであるときに、カードユニット２０にてカード残額が使用されると、受信したカード残額＜受信した一般カードＩＤに対応付けて一般カードＤＢに記憶しているカード残額となるが、この場合には、受信した一般カードＩＤに対応付けて一般カードＤＢに記憶しているカード残額を、受信したカード残額に更新しておく。
【０１４２】
Ｓ６２０の貸与許諾情報を受信したカードＲ／Ｗ制御部２９では、カード残額をユニット制御部２２に通知する（Ｓ６２１）。カード残額の通知を受けたユニット制御部２２は、カード残額に相当する残度数を残度数表示器１４に表示すると共に、カード玉貸可能状態となる（Ｓ６２２）。
【０１４３】
ここで、Ｓ６０２に戻り、該Ｓ６０２で照合ＮＧ（即ち、受信したカード残額＞受信した一般カードＩＤに対応付けて一般カードＤＢに記憶しているカード残額）である場合には、該照合ＮＧの旨を示す貸与不可情報を前記Ｓ５１１で送信されてきた装置ＩＤのカードユニット２０に対して送信する（Ｓ６３０）。貸与不可情報を受信したカードＲ／Ｗ制御部２９では、カードＲ／Ｗ２７により受け付けた一般カード５を排出して抜取待ち状態（ここでは一般カード５の一端がカード挿入口２７ａから外部に突出した状態を指す）となる（Ｓ６３１）。そして、カードの抜き取りを検出すると（Ｓ６３２）、カードストッカ２８に収納されている一般カード５のうちの１枚をカードＲ／Ｗ２７に供給して待機させる（Ｓ６３３）。次いで、カードＲ／Ｗ２７が供給された一般カード５の記録情報を読み取り（Ｓ６３４：供給時読取）、後述するＳ７０８以降の処理が実施される。
【０１４４】
次に、図１２及び図１３を用いて、カード返却ボタン１６が操作された際の処理について説明する。図１２に示すように、ユニット制御部２２において、カード返却ボタン１６の操作が検出されると（Ｓ７００）、カード玉貸可能状態であるか否かの判定が実施される（Ｓ７０１）。Ｓ７０１の判定で、カード玉貸可能状態でないと判定されると（Ｎ）、処理を終了する（Ｓ７０２ａ）。一方、Ｓ７０１の判定でカード玉貸可能状態であると判定された場合には（Ｙ）、カード玉貸可能状態を解除して（Ｓ７０２）、カード返却ボタン１６が操作された旨を示す返却操作通知をカードＲ／Ｗ制御部２９に送信し（Ｓ７０３）、カードＲ／Ｗ制御部２９は、カードＲ／Ｗ２７のカードを排出して抜取待ち状態（ここでは一般カード５の一端がカード挿入口２７ａから外部に突出した状態を指す）となる（Ｓ７０４）。そして、カードの抜き取りを検出すると（Ｓ７０５）、カードストッカ２８に収納されている一般カード５のうちの１枚をカードＲ／Ｗ２７に供給して待機させる（Ｓ７０６）。
【０１４５】
次いで、カードＲ／Ｗ制御部２９は、カードＲ／Ｗ２７の一般カード５に記録されている記録情報（カード残額，一般カードＩＤ）を読み取り（Ｓ７０７：供給時読取）、該読み取った記録情報をユニット制御部２２に通知する（Ｓ７０８）。記録情報の通知を受けたユニット制御部２２は、カードＲ／Ｗ２７のカードが使用可能であるか否かを判定する（Ｓ７０９：供給時判定）。Ｓ７０９の供給時判定によって、使用可能であると判定されたときには（Ｙ）、カードが使用可能である旨の使用可能通知をカードＲ／Ｗ制御部２９に送り（Ｓ７１０）、該使用可能通知を受けたカードＲ／Ｗ制御部２９は、Ｓ７０７で読み取った一般カードＩＤを、装置ＩＤと共にシステムコントローラ６０に送信する（Ｓ７１１：供給時送信）。一方、Ｓ７０９の供給時判定によって、使用可能でないと判定されたときには（Ｎ）、多機能ランプ２６によるエラー報知を行う（Ｓ７２０）と共に、排出通知をカードＲ／Ｗ制御部２９に送り（Ｓ７２１）、排出通知を受けたカードＲ／Ｗ制御部２９は、カードＲ／Ｗ２７のカードを排出する（Ｓ７２２）。
【０１４６】
このように、カードストッカ２８からカードＲ／Ｗ２７に一般カード５が供給されたときに、該一般カード５が使用可能であるか否かの供給時判定（Ｓ７０９）を行う。その結果、使用不可のカードは排出され、エラー報知がされているカードユニット２０を発見した店員により回収されるので、遊技者が入金を行う時点でカードＲ／Ｗ２７のカードが使用不可となっている事態を極力回避することができる。従って、入金することができず（即ち速やかに遊技を開始させることができず）遊技者に迷惑をかけるおそれを著しく低減させると共に、遊技場の稼働低下を防止することができる。
【０１４７】
次に、Ｓ７１１の供給時送信を受信したシステムコントローラ６０の作用について説明する。図１３に示すように、Ｓ７１１の供給時送信を受信したシステムコントローラ６０は、受信した一般カードＩＤのカードが使用可能であるか否かの供給時使用判定が実施される（Ｓ８００）。該Ｓ８００は、受信した一般カードＩＤが、該一般カードＩＤと共に受信した装置ＩＤとは異なる装置ＩＤ（別装置ＩＤ）と対応付けてカードユニットＤＢに記憶されているか否かの判定である（記憶されていないときに使用可能であると判定し、記憶されているときに使用可能でないと判定する）。Ｓ８００で使用可能であると判定されたときには、カードユニットＤＢにおいて、受信した装置ＩＤに対応付けて、該装置ＩＤと共に受信した一般カードＩＤを記憶する（Ｓ８１０）。次いで、受信した装置ＩＤのカードユニット２０に対して、受信した一般カードＩＤのカードが使用可能である旨を示す使用判定結果を送信する（Ｓ８１１）。一方、Ｓ８００で使用可能でないと判定されたときには、受信した装置ＩＤのカードユニット２０に対して、受信した一般カードＩＤのカードが使用可能でない旨を示す使用判定結果を送信する（Ｓ８２０）。さらに、前記別装置ＩＤのカードユニット２０に対しては、所定の異常処理を実施する旨の異常処理通知を送信する（Ｓ８２０ａ）。
【０１４８】
Ｓ８１１（使用可）又はＳ８２０（使用不可）の使用判定結果をカードＲ／Ｗ制御部２９が受信すると（Ｓ９００）、該使用判定結果をユニット制御部２２に通知する（Ｓ９０１）。ユニット制御部２２は、Ｓ９０１で通知された使用判定結果が使用可能である旨を示すか否かの判定を実施する（Ｓ９０２）。Ｓ９０２の判定で、使用可能である旨を示すと判定されたときには（Ｙ）、カードＲ／Ｗ２７のカードの使用を許諾する旨の使用許諾通知をカードＲ／Ｗ制御部２９に送り（Ｓ９１０）、使用許諾通知を受けたカードＲ／Ｗ制御部２９では、消去通知を装置ＩＤと共にシステムコントローラ６０に送信する（Ｓ９１１）。一方、Ｓ９０２の判定で、使用可能である旨を示さない（即ち使用不可能である旨を示す）と判定されたときには（Ｎ）、ユニット制御部２２が、入金を禁止して、多機能ランプ２６によってエラー報知を行う（Ｓ９２０）と共に、排出を禁止する旨を示す排出禁止通知をカードＲ／Ｗ制御部２９に送る（Ｓ９２１）。排出禁止通知を受けたカードＲ／Ｗ制御部２９では、カードの排出処理を禁止する（Ｓ９２２）。即ちカード返却ボタン１６が操作されてもカードを排出しない。
【０１４９】
このように、カードユニット２０においてカードストッカ２８からカードＲ／Ｗ２７に一般カード５が供給されたときに、システムコントローラ６０において該一般カード５が使用可能であるか否かの供給時使用判定（Ｓ８００）を行う。その結果、使用不可と判定された場合にカードユニット２０で入金が禁止され、使用不可のカードは、エラー報知がされているカードユニット２０を発見した店員により回収されるので、遊技者が入金を行った時点でカードＲ／Ｗ２７のカードが使用不可となっている事態を極力回避することができる。従って、入金することができず（即ち速やかに遊技を開始させることができず）遊技者に迷惑をかけるおそれを著しく低減させると共に、遊技場の稼働低下を防止することができる。
【０１５０】
また、供給時使用判定において、システムコントローラ６０がＳ７１１で受信した一般カードＩＤが、該一般カードＩＤと共に受信した装置ＩＤとは異なる装置ＩＤと対応付けて管理されていることを条件として、使用可能でないと判定されるので、他と同一の一般カードＩＤが不正に記録されたおそれのあるカードの使用を防止することができる。
【０１５１】
一方で、前述したＳ８２０ａの異常処理通知を前記別装置ＩＤのカードユニット２０が受信すると（Ｓ８５０）、異常処理通知をユニット制御部２２に送り（Ｓ８５１）、該異常処理通知を受けたユニット制御部２２が、入金禁止及び玉貸禁止を行い、多機能ランプ２６によるエラー報知を行う（Ｓ８５２）と共に、排出禁止通知をカードＲ／Ｗ制御部２９に送る（Ｓ８５３）。排出禁止通知を受けたカードＲ／Ｗ制御部２９では、カードの排出処理を禁止する（Ｓ８５４）。
【０１５２】
このように、システムコントローラ６０がＳ７１１で受信した一般カードＩＤが、該一般カードＩＤと共に受信した装置ＩＤとは異なる装置ＩＤと対応付けて管理されていることを条件として、当該異なる装置ＩＤ（別装置ＩＤ）のカードユニット２０において異常処理（入金禁止，玉貸禁止，エラー報知，排出禁止通知）が行われるので、他と同一の一般カードＩＤが不正に記録されたおそれのあるカードが既に使用されている場合に、該使用中のカードに対する処置が可能となる。ここでは、別装置ＩＤのカードユニット２０で使用されているカード（ここでは他と同一の一般カードＩＤが不正に記録されたおそれのあるカード）は排出されずにカードＲ／Ｗ２７部に滞留し、遊技場の店員による所定の解除操作を受けて回収され、チェックされるので、他の一般カード５に記録されている一般カードＩＤと同一の一般カードＩＤが不正に記録されたおそれのあるカードの使用による遊技場の被害を低減させることができる。
【０１５３】
なお、Ｓ９１１で送信された消去通知を受信したシステムコントローラ６０においては、該消去通知と共に受信した装置ＩＤに対応付けてカードユニットＤＢに記憶されている一般カードＩＤを消去する（Ｓ９１２）と共に、該消去が完了した旨を示す消去完了通知を、受信した装置ＩＤのカードユニット２０に対して送信する（Ｓ９１３）。消去完了通知を受信したカードＲ／Ｗ制御部２９では、カードの前方挿入禁止を解除する（Ｓ９１４）。
【０１５４】
このように、Ｓ９００でカードユニット２０が受信した判定結果が使用可能である旨を示すことを条件として、システムコントローラ６０が該カードユニット２０の装置ＩＤに対応する一般カードＩＤをカードを消去しておくので、カードユニット２０に一般カード５が挿入されるときには、該カードユニットとシステムコントローラ６０間で前記消去を行うためのやりとりを行う必要がなく、当該挿入されるカードに関する処理（例えばＳ６０１に示す一般カードＩＤの記憶処理やＳ６０２に示すカード残額の照合等）を迅速に行うことができる。
【０１５５】
最後に図１４を用いて、精算処理における精算装置８０とシステムコントローラ６０の作用について説明する。精算装置８０において、一般カード５が挿入されて受け付けられると（ＳＡ０１）、カードから一般カードＩＤ，カード残額を読み取って（ＳＡ０２）、該読み取った一般カードＩＤ，カード残額を含む精算許諾要求をシステムコントローラ６０に送信する（ＳＡ０３）。そして、精算許諾要求を受信したシステムコントローラ６０においては、該受信したカード残額と、該受信した一般カードＩＤと対応付けて一般カードＤＢに記憶されている残額との照合（即ち、受信したカード残額≦受信した一般カードＩＤに対応付けて記憶されているカード残額、であるか否かの照合）を行い（ＳＡ０４）、照合ＯＫ（即ち受信したカード残額≦受信した一般カードＩＤに対応付けて記憶されているカード残額）であることを条件として、精算装置８０に対して、精算許諾情報を返信する（ＳＡ０５）。
【０１５６】
該精算許諾情報を受信した精算装置８０においては、前記読み取ったカード残額に相当する金額の貨幣を紙幣払出機８５及び／又は硬貨払出機８６から払い出して遊技者に返却する（ＳＡ０６）。次いで、一般カード５からカード残額を消去して、一般カード回収部８３ｂの内部に回収する（ＳＡ０７）。ＳＡ０７の処理が終了すると、精算装置８０からシステムコントローラ６０に対して一般カードＩＤを含む精算完了通知が送信され（ＳＡ０８）、これを受信したシステムコントローラ６０では、受信した一般カードＩＤに対応付けて記録されているカード残額を消去する（ＳＡ０９）。
【０１５７】
一方、ＳＡ０４で、照合ＮＧの場合（即ち受信したカード残額＞受信した一般カードＩＤに対応付けて記憶されているカード残額）には、精算装置８０に対して、精算不可情報を返信する（ＳＡ０５ａ）。精算不可情報を受信した精算装置８０は、前述したように、カードを留保し、異常を報知する（ＳＡ０６ａ）。
【０１５８】
最後に、本発明の変形例について説明する。
【０１５９】
上記の実施形態では、遊技媒体の貸与に使用可能な有価価値の大きさが、金額自体（カード残額）である例について説明したが、これに限らず、有価価値の大きさは、金額が所定の比率で換算された残度数や点数等であっても良い。
【０１６０】
上記の実施形態では、遊技媒体の貸与に使用可能な有価価値の大きさを特定するための情報が、一般カードＩＤ，カード残額の両方である例について説明したが、これに限らず、有価価値の大きさを特定するための情報が、一般カードＩＤのみであっても良い。つまり、管理装置（システムコントローラ６０）において、一般カードＩＤとカード残額を対応付けて管理すると共に、一般カード５には、カード残額を記録せずに、有価価値の大きさを特定するための一般カードＩＤのみが記録されるようにしておき、遊技用装置（カードユニット２０）における一般カード５の受付時に、一般カードＩＤを管理装置に送信して、該一般カードＩＤに対応付けて管理されているカード残額（つまり特定された有価価値の大きさ）を取得してカード玉貸処理を行うようにしても良い。また、有価価値の大きさを特定するための情報が、一般カード５に記録されるカード残額のみであっても良い。つまり、管理装置においては、カード残額を管理せず、遊技用装置（カードユニット２０）における一般カード５の受付時に、管理装置における照合等を行わず、読み取られたカード残額によりカード玉貸処理を行うようにしても良い。また、遊技媒体の貸与に使用可能な有価価値の大きさを特定するための情報は、一般カードＩＤ，カード残額以外の情報であっても良く、例えば、入金毎に管理装置において生成される入金ＩＤ等でも良い。
【０１６１】
上記の実施形態では、記録媒体（一般カード５）が、非接触式のＩＣカードである例について説明したが、これに限らず、該記録媒体は、接触式の集積回路，磁気，二次元コード（例えばバーコード），三次元コード，又は光干渉（例えばホログラム）等により情報を記録するものでも良い。また記録媒体の形状は、カード型には限られず、コイン型であっても良い。
【０１６２】
上記の実施形態では、図１〜図３に示すように、遊技機がパチンコ機１０である例について説明したが、これに限らず、該遊技機は、例えば遊技媒体としてメダルを使用するスロットマシン，遊技媒体としてパチンコ玉を使用するスロットマシンであるパチロット，遊技媒体であるパチンコ玉が指触不能に封入された封入式のパチンコ機，パチンコ玉やメダルを用いることなく得点データを使用して遊技可能なパチンコ機やスロットマシンやパチロット，遊技領域やパチンコ玉が画像にて表示される画像式のパチンコ機，リールが画像にて表示される画像式のスロットマシンやパチロット等であっても良い。
【０１６３】
上記の実施形態では、記録媒体貸与処理が行われた場合に、遊技用装置（カードユニット２０）と遊技機（パチンコ機１０）との間でパチンコ玉の貸与に関する信号のやり取りが行われて、該遊技機に設けられた玉払出装置１３からパチンコ玉が払い出されて貸与される例について説明したが、これに限らず、遊技用装置に設けられた図示しない玉払出装置からパチンコ玉が払い出されて貸与されるようにしても良い。
【０１６４】
上記の実施形態では、遊技媒体を貸与するための貸与処理が、パチンコ玉を貸与する玉貸処理である例について説明したが、これに限らず、該貸与処理は、前記メダルを貸与するメダル貸出処理や、前記画像式のパチンコ機やスロットマシンやパチロットにおいて有価価値の大きさを遊技媒体としての得点に変換して遊技に使用させる処理等でも良い。
【０１６５】
上記の実施形態では、図２及び図３に示すように、残度数表示器１４，玉貸ボタン１５，及びカード返却ボタン１６が遊技機（パチンコ機１０）に設けられ、遊技用装置（カードユニット２０）と接続されている例について説明したが、これに限らず、これら残度数表示器１４，玉貸ボタン１５，及びカード返却ボタン１６の一部又は全部を遊技用装置に設けるようにしても良い。
【０１６６】
上記の実施形態では、図２及び図３に示すように、紙幣識別機２３にて受付可能な紙幣２の種類が1000円紙幣，2000円紙幣，5000円紙幣，及び10000円紙幣の４種類である例について説明したが、これに限らず、受付可能な紙幣２の種類は、該４種類のうちの任意の１種類又は２種類以上でも良い。同様に、上記の実施形態では、硬貨識別機２４にて受付可能な硬貨３の種類が100円硬貨，及び500円硬貨の２種類である例について説明したが、これに限らず、受付可能な硬貨３の種類は、該２種類のうちの任意の１種類でも良い。なお貨幣として紙幣２及び硬貨３の双方を受け付けるものには限られず、紙幣２又は硬貨３のいずれか一方のみを受け付けるものでも良い。
【０１６７】
上記の実施形態では、図２に示すように、貨幣受付手段（紙幣識別機２３、硬貨識別機２４）により受け付けられた貨幣（紙幣２，硬貨３）が遊技用装置（カードユニット２０）外部に排出されて、紙幣搬送機構，硬貨搬送機構により搬送される例について説明したが、これに限らず、該受け付けられた貨幣は、遊技用装置内部に貯留されるようにしても良い。
【０１６８】
上記の実施形態では、図２に示すように、貨幣受付手段（紙幣識別機２３、硬貨識別機２４）において、有体物である貨幣（紙幣２，硬貨３）を受け付ける例について説明したが、これに限らず、無体物である貨幣（例えば電子マネー等の貨幣金額に相当する金額データや、クレジットカードから特定される与信金額や、デビットカードから特定される預金金額等）を接触又は非接触で受け付けるようにしても良い。
【０１６９】
上記の実施形態では、カード残額が１０００円を超える場合に、入金が不可となる例について説明したが、これに限らずカード残額が１０００円を超える場合であっても、入金を可能とするようにしても良い。また、上記の実施形態ではカード残額が残存している状態（但し１０００円以下）で、入金が可能である例について説明したが、これに限らず、カード残額が零の状態でのみ入金を可能とするようにしても良い。
【０１７０】
上記の実施形態では、遊技用装置（カードユニット２０）において玉貸処理が行われるときに、１度数に相当するパチンコ玉数（例えば消費税を考慮しないのであれば２５個、消費税を考慮するのであれば消費税率に応じて２４個，２３個…等の、具体的な玉数）の払出を要求する信号（ＢＲＱ信号）がパチンコ機１０に対して送信される例について説明したが、該玉貸処理は、例えば以下の変形例１又は変形例２に示す如く行われるようにしても良い。
【０１７１】
まず変形例１として、パチンコ機１０において、遊技用装置からの１回の払出要求に応じて払い出すパチンコ玉の数（以下「単位払出数」という。）を設定変更可能に構成すると共に、遊技用装置において、該設定された単位払出数を予め記憶可能に構成した場合には、以下のようにして玉貸処理を行う。まず遊技用装置は、玉貸ボタン１５の操作をユニット制御部２２により検出すると、パチンコ玉の払出を要求する払出要求信号（具体的な払出要求玉数は示さない信号）を払出制御基板１２に対して送信する。該払出要求信号を受信したパチンコ機１０は、前記単位払出数のパチンコ玉の払出を指示する払出信号を払出制御基板１２から玉払出装置１３に対して出力し、これに基づいて、玉払出装置１３から単位払出数分のパチンコ玉の払出を行い、該払出の終了に基づいて、実際に払い出したパチンコ玉の数である払出結果玉数を示す払出結果信号をユニット制御部２２に対して送信する。該払出結果信号を受信した遊技用装置は、前記予め記憶している単位払出数と、該払出結果信号に示される払出結果玉数とを照合し、照合ＯＫである場合には、前記１度数分の減算処理を行い、その後、予め設定された玉貸設定度数分の玉貸処理を行う。
【０１７２】
ここで払出結果玉数を示す払出結果信号は、パチンコ機１０の払出制御基板１２から出力されるようにしても良いし、払い出されたパチンコ玉の数を検出する図示しない払出検出センサから出力されるようにしても良い。また遊技用装置において予め記憶しておく単位払出数は、システムコントローラ６０で設定し、遊技用装置に配信して記憶するようにすれば良い。そして、例えば前記単位払出数と払出結果玉数との照合ＮＧの場合に、遊技用装置を不能動化するように構成すれば、遊技場が実際の申告よりも小さい単位払出数をパチンコ機１０において設定するような不正を防止できる。
【０１７３】
また変形例２として、前記単位払出数が一定（例えば２５個）である場合には、以下のようにして玉貸処理を行う。まず遊技用装置は、玉貸ボタン１５の操作をユニット制御部２２により検出すると、パチンコ玉の払出を要求する払出要求信号（具体的な払出要求玉数は示さない信号）を払出制御基板１２に対して送信する。該払出要求信号を受信したパチンコ機１０は、玉払出装置１３からパチンコ玉の払出が可能であるか否かを確認し、該確認結果が可能である場合には、玉貸準備信号をユニット制御部２２に対して送信する。該玉貸準備信号を検出した遊技用装置は、玉貸指令信号を払出制御基板１２に対して送信し、該玉貸指令信号を受信したパチンコ機１０は、前記単位払出数のパチンコ玉の払出を指示する払出信号を払出制御基板１２から玉払出装置１３に対して出力し、これに基づいて、玉払出装置１３から単位払出数分のパチンコ玉の払出を行い、該払出の終了に基づいて、１度数分の玉貸処理の完了を示す玉貸完了信号をユニット制御部２２に対して送信する。該払出結果信号を受信した遊技用装置は、前記１度数分の減算処理を行い、その後、前記玉貸設定度数分の玉貸処理を行う。
【０１７４】
上記の実施形態では、遊技用装置（カードユニット２０）において、一般カード５が使用される例について説明したが、これに限らず、さらに、会員登録を行った会員遊技者に対して発行される会員カードを使用可能にしても良い。該会員カードには、会員遊技者を個々に特定可能な会員ＩＤ（あるいは会員カードを個々に識別可能な会員カードＩＤ）や、カード残額を記録しておき、一般カード５と同様に、該会員カードの記録情報から特定される有価価値の大きさの範囲内での玉貸処理を行うようにしても良い。会員カードが使用される場合、該会員カードの残額が零となっても、カード返却ボタン１６の操作によって返却可能として、該返却操作に基づいて会員カードが排出されたときに、記録媒体収納部（カードストッカ）から記録情報処理部（カードＲ／Ｗ２７）に一般カード５が供給されて、上記実施形態の如く、供給時判定，供給時使用判定が実施されるようにすると良い。
【０１７５】
上記の実施形態では、排出処理によってカード挿入口２７ａから排出されたカードが抜き取られたことに基づいて、記録媒体収納部（カードストッカ２８）に収納されているカードの１枚が記録情報処理部（カードＲ／Ｗ２７）に供給される例について説明したが、これに限らず、例えば、カードの排出処理が行われた後、直ちに供給処理が行われるようにしても良い（例えば、第１モータによるベルトの回転運動を行った後に、直ちに第２モータによるスライダの移動行う）。即ち、カードが抜取待ち状態となった後、抜き取りを待たずして供給処理を行うようにしても良い。また、カードの排出処理と供給処理の両処理を同時並列的に行うようにしても良い（例えば、第１モータによるベルトの回転運動と、第２モータによるスライダの移動を同時並列して行う）。即ち、カードＲ／Ｗ２７からのカードの排出と、カードストッカ２８からカードＲ／Ｗ２７へのカードの供給を同時に行うようにしても良い。このように、供給処理のタイミングは特に限定されず、カードの排出処理が行われることに基づいて、記録媒体収納部（カードストッカ２８）のカードが記録情報処理部（カードＲ／Ｗ２７）に供給されれば良い。
【０１７６】
上記の実施形態では、貨幣が識別されると、カード残額＋入金金額が、新たなカード残額としてカードＲ／Ｗ２７の一般カード５に記録される例について説明したが、これに限らず、貨幣が識別されたことに基づいて、入金金額がユニット制御部２２の所定記憶領域（例えばＲＡＭやＥＥＰＲＯＭ）に記憶されるようにしても良い。そして、該入金金額の記憶処理に基づいて現金玉貸可能状態となり、該入金金額の範囲内での玉貸処理を行い、入金金額のうちの玉貸処理に使用されなかった入金残額を、所定の操作（例えばカード返却ボタン１６の操作）によって、カードＲ／Ｗ２７の一般カード５に記録（又は一般カードＩＤと入金残額を管理装置に送信して管理）して、返却するようにしても良い。この例では、一般カード５に入金残額を記録する処理（又は一般カードＩＤと入金残額を管理装置に送信する処理）が残有価価値特定処理に相当する。このようなカードユニットの場合、入金のときには、残有価価値特定処理が行われないため、カードエラーに関係無く玉貸処理を行うことができる。しかし、前記所定の操作が行われたときにカードＲ／Ｗ２７のカードが使用可能か否かの判定を実施するようにすると、カードエラーが生じた場合に、遊技者に直ちに残額の返却をすることができず、台移動や精算が速やかに行えないため遊技者に迷惑がかかる。このようなカードユニットに対して本発明を適用することで、カードＲ／Ｗ２７へのカード供給時に前記判定が行われて、カードエラーが生じた場合には店員による所定の処置（カードの回収等）が行われるので、遊技者に迷惑をかけるおそれを著しく低減させることができる。
【０１７７】
上記の実施形態では、遊技用装置（カードユニット２０）の判定手段（ユニット制御部２２）が行う判定が、読み取られたカード残額及び一般カードＩＤが、各々所定形式のデータであるか否かの判定と、一旦記録された後に読み取られたデータが、テストデータと合致するか否かの判定である例について説明したが、これに限らず、判定手段の判定は、記録媒体（一般カード５）の記録情報に基づくものであれば良く、例えば、記録媒体には暗号化された記録媒体識別情報を記録しておき、遊技用装置において、該暗号化された情報を読み取って復号化し、復号化後のデータが所定形式（記録媒体識別情報のデータ形式）であるか否かによって使用可能であるか否かを判定しても良い（所定形式であれば使用可能，所定形式でなければ使用不可と判定）。
【０１７８】
また、記録媒体にセキュリティ情報を記録しておくと共に、遊技用装置にも予めセキュリティ情報を記憶しておき、記録媒体が記録情報処理部に供給されたときに、該供給された記録媒体のセキュリティ情報と予め当該遊技用装置で記憶しているセキュリティ情報と一致するか否かを判定して、一致すれば使用可、一致しなければ使用不可と判定するようにしても良い。
【０１７９】
上記の実施形態では、管理装置（システムコントローラ６０）の使用判定手段（制御部６２）が行う判定が、受信した一般カードＩＤが該一般カードＩＤと共に受信した装置ＩＤとは異なる装置ＩＤ（別装置ＩＤ）に対応付けて、カードユニットＤＢに記憶されているか否かの判定である例について説明したが、これに限らず、使用判定手段の判定は、受信した記録情報に基づくものであれば良く、例えば、記録媒体には暗号化された記録媒体識別情報を記録しておき、管理装置が、該該暗号化された情報を受信して復号化し、復号化後のデータが所定形式（記録媒体識別情報のデータ形式）であるか否かによって使用可能であるか否かを判定しても良い（所定形式であれば使用可能，所定形式でなければ使用不可と判定）。また、記録情報の更新に伴って値が変わるハッシュ値を記録媒体に記録すると共に、管理装置でも各記録媒体識別情報と対応付けてハッシュ値を管理しておき、管理装置が受信したハッシュ値が、該ハッシュ値と共に受信した記録媒体識別情報と対応付けて管理装置で管理しているハッシュ値と合致するか否かによって使用可能であるか否かを判定するようにしても良い（合致すれば使用可能，合致しなければ使用不可と判定）。
【０１８０】
また管理装置において、当該遊技場で使用可能な全ての記録媒体の記録媒体識別情報を管理しておき、遊技用装置から受信した記録媒体識別情報が、前記管理している記録媒体識別情報に含まれるか否かを判定して、含まれれば（いずれかに一致すれば）使用可、含まれなければ（いずれにも一致しなければ）使用不可と判定するようにしても良い。
【０１８１】
上記の実施形態では、遊技用装置が判定手段（ユニット制御部２２）を有し、かつ管理装置（システムコントローラ６０）が使用判定手段（制御部６２）を有しており、供給時判定及び供給時使用判定（あるいは入金時判定及び入金時使用判定）の両方が実施される例について説明したが、これに限らず、供給時判定又は供給時使用判定（あるいは入金時判定又は入金時使用判定）のいずれか一方のみが実施されるようにしても良い。即ち、遊技用装置が判定手段を備えておらず、管理装置が使用判定手段を備えているように構成しても良く、遊技用装置が判定手段を備えており、管理装置が使用判定手段を備えていないように構成しても良い。
【０１８２】
また、上記の実施形態では、遊技用装置が挿入時判定を行い、かつ管理装置が挿入時使用判定を行う例について説明したが、これに限らず、遊技用装置が挿入時判定を行い、管理装置が挿入時使用判定を行わないように構成しても良く、遊技用装置が挿入時判定を行わず、管理装置が挿入時使用判定を行うように構成しても良い。
【０１８３】
上記の実施形態では、使用禁止処理手段（ユニット制御部２２）が、判定手段（ユニット制御部２２）により使用可能でないと判定されたことを条件として、使用禁止処理として、排出通知を行い、管理装置（システムコントローラ６０）から受信した判定結果が使用可能でない旨を示すことを条件として、使用禁止処理として、入金禁止を行う例について説明したが、これに限らず、判定手段により使用可能でないと判定されたこと，又は管理装置から受信した判定結果が使用可能でない旨を示すことを条件として行う使用禁止処理は、記録情報処理部（カードＲ／Ｗ２７）にある記録媒体（一般カード５）の残有価価値特定処理への使用を禁止するための処理であれば良い。例えば、判定手段（ユニット制御部２２）により使用可能でないと判定されたことを条件として、入金禁止を行っても良く、管理装置（システムコントローラ６０）から受信した判定結果が使用可能でない旨を示すことを条件として、排出通知を行うようにしても良い。
【０１８４】
上記の実施形態では、供給時判定によって使用不可であると判定されたことに基づく報知と、供給時使用判定によって使用不可であると判定されたことに基づく報知が同一態様（多機能ランプ２６の赤点滅）である例について説明したが、これに限らず、供給時判定によって使用不可と判定されたことに基づく報知と、供給時使用判定によって使用不可と判定されたことに基づく報知を、異なる報知態様（例えば前者は橙で点滅，後者は赤で点滅等）としても良い。入金時判定と入金時使用判定の報知態様についても同様である。
【０１８５】
上記の実施形態では、供給時判定又は供給時使用判定によって、使用不可であると判定されたことに基づく報知と、異常処理における報知が同一態様（多機能ランプ２６の赤点滅）である例について説明したが、これに限らず、供給時判定又は供給時使用判定によって使用不可と判定された場合の報知と、異常処理における報知を異なる報知態様（例えば前者は橙で点滅，後者は赤で点滅等）としても良い。
【０１８６】
上記の実施形態では、異常処理手段（ユニット制御部２２）が行う異常処理が、入金禁止，玉貸禁止，エラー報知，及び排出禁止通知である例について説明したが、これに限らず、異常処理手段（ユニット制御部２２）が行う異常処理は、所定の処理であれば良く、上記の処理のうちのいずれか又は組み合わせであっても良く、上記の処理以外の処理（例えば排出通知）であっても良い。
【０１８７】
上記の実施形態では、図５に示すように、一般カードＤＢと、カードユニットＤＢが各々別のデータテーブルで管理されている例について説明したが、これに限らず、両者の記憶内容を含む１つのデータテーブルで管理するようにしても良い。例えば、一般カードＩＤに対応付けて、カード残額と、装置ＩＤの記憶領域を設けておき、カードユニット２０から一般カードＩＤ及び装置ＩＤを受信したときに、受信した一般カードＩＤに対応付けて、その対応する記憶領域に該一般カードＩＤと共に受信した装置ＩＤを記憶するようにすると良い。
【図面の簡単な説明】
【０１８８】
【図１】図１は本発明に係る遊技用システムの一例を表す接続図である。
【図２】図２は本発明に係る遊技用システムの一例を表す機能ブロック図である。
【図３】図３（ａ）はカードユニット及びパチンコ機の正面図であり、図３（ｂ）はカードユニットの断面右側面図である。
【図４】図４は玉貸処理に際してカードユニットとパチンコ機の間で送受される信号の一例を表す図である。
【図５】図５（ａ）はシステムコントローラのハードディスクが記憶している一般カードＤＢの記憶内容の一例を表す図であり、図５（ｂ）は同ハードディスクが記憶しているカードユニットＤＢの記憶内容の一例を表す図である。
【図６】図６（ａ）は精算装置の斜視図であり、図６（ｂ）は精算装置に設けられたディスプレイの表示内容の一例を表す図である。
【図７】図７はカードユニットに貨幣が入金されたときの処理の一例を表す図である。
【図８】図８は図７の続きである。
【図９】図９はカードユニットに一般カードが挿入されるときの処理の一例を表す図である。
【図１０】図１０は図９の続きである。
【図１１】図１１は玉貸ボタンが操作されたときの処理の一例を表す図である。
【図１２】図１２はカード返却ボタンが操作されたときの処理の一例を表す図である。
【図１３】図１３は図１２の続きである。
【図１４】図１４は精算装置とシステムコントローラにおける精算処理の一例を表す図である。
【符号の説明】
【０１８９】
１…遊技用システム
２…紙幣
３…硬貨
５…一般カード
１０…パチンコ機
２０…カードユニット
２２…ユニット制御部
２３…紙幣識別機
２４…硬貨識別機
２７…カードＲ／Ｗ
２８…カードストッカ
２９…カードＲ／Ｗ制御部
２９ａ…システムコントローラ用通信部２９ａ
６０…システムコントローラ
６１ａ…ユニット用通信部
６２…通信部
６３…ハードディスク
【図１】
2006239192.tif 000003
【図２】
2006239192.tif 000004
【図３】
2006239192.tif 000005
【図４】
2006239192.tif 000006
【図５】
2006239192.tif 000007
【図６】
2006239192.tif 000008
【図７】
2006239192.tif 000009
【図８】
2006239192.tif 000010
【図９】
2006239192.tif 000011
【図１０】
2006239192.tif 000012
【図１１】
2006239192.tif 000013
【図１２】
2006239192.tif 000014
【図１３】
2006239192.tif 000015
【図１４】
2006239192.tif 000016